(57)【特許請求の範囲】
【請求項１】
回転ヘッドにより磁気テープのトラックにデジタルデータを記録する磁気テープ記録装置において、
映像データ、音声データまたはサーチデータを含む第１のグループのデータと、前記第１のグループのデータに関連するサブコードデータを含む第２のグループのデータのそれぞれに誤り訂正用の符号を付加し、それぞれが、前記磁気テープのトラック上において、両者の間が離間せずに連続するようにフォーマットするフォーマット化手段と、
前記フォーマット化手段によりフォーマット化されたデータを、前記磁気テープに記録するために前記回転ヘッドに供給する供給手段と
を備え、
前記フォーマット化手段は、
１個のトラックに、１個が２４の倍数のビット数である１１１バイトの長さのシンクブロックを１３９個連続的に配置し、
１個のシンクブロックに、シンクブロック検出用の検出パターンを２バイト、シンクブロックを識別するための識別情報を３バイト、メインデータを９６バイト、および前記識別情報とメインデータの９９バイトのデータに対して計算された誤り訂正内符号を１０バイト配置し、
前記１３９個のシンクブロックのうち、１２１個のシンクブロックに前記メインデータを配置し、残りの１８個のシンクブロックに誤り訂正外符号を配置し、
前記誤り訂正外符号を、１６個のトラックに含まれる２２２４個のシンクブロックを１６面に等分割した１３９シンクブロック毎、１２個のトラックに含まれる１６６８個のシンクブロックを１２面に等分割した１３９シンクブロック毎、または８個のトラックに含まれる１１１２個のシンクブロックを８面に等分割した１３９シンクブロック毎に構成し、
前記磁気テープ上における前記シンクブロックの配置を、同一の面に属する前記シンクブロック間の距離が一定になるようにする
ことを特徴とする磁気テープ記録装置。
【請求項２】
前記映像データは、MP@HLまたはMP@H-14方式で圧縮された高品位の映像データである
ことを特徴とする請求項１に記載の磁気テープ記録装置。
【請求項３】
回転ヘッドにより磁気テープのトラックにデジタルデータを記録する磁気テープ記録装置の磁気テープ記録方法において、
映像データ、音声データまたはサーチデータを含む第１のグループのデータと、前記第１のグループのデータに関連するサブコードデータを含む第２のグループのデータのそれぞれに誤り訂正用の符号を付加し、それぞれが、前記磁気テープのトラック上において、両者の間が離間せずに連続するようにフォーマットするフォーマット化ステップと、
前記フォーマット化ステップの処理によりフォーマット化されたデータを、前記磁気テープに記録するために前記回転ヘッドに供給する供給ステップと
を含み、
前記フォーマット化ステップは、
１個のトラックに、１個が２４の倍数のビット数である１１１バイトの長さのシンクブロックを１３９個連続的に配置し、
１個のシンクブロックに、シンクブロック検出用の検出パターンを２バイト、シンクブロックを識別するための識別情報を３バイト、メインデータを９６バイト、および前記識別情報とメインデータの９９バイトのデータに対して計算された誤り訂正内符号を１０バイト配置し、
前記１３９個のシンクブロックのうち、１２１個のシンクブロックに前記メインデータを配置し、残りの１８個のシンクブロックに誤り訂正外符号を配置し、
前記誤り訂正外符号を、１６個のトラックに含まれる２２２４個のシンクブロックを１６面に等分割した１３９シンクブロック毎、１２個のトラックに含まれる１６６８個のシンクブロックを１２面に等分割した１３９シンクブロック毎、または８個のトラックに含まれる１１１２個のシンクブロックを８面に等分割した１３９シンクブロック毎に構成し、
前記磁気テープ上における前記シンクブロックの配置を、同一の面に属する前記シンクブロック間の距離が一定になるようにする
ことを特徴とする磁気テープ記録方法。
【請求項４】
回転ヘッドにより磁気テープのトラックにデジタルデータを記録する磁気テープ記録装置のプログラムにおいて、
映像データ、音声データまたはサーチデータを含む第１のグループのデータと、前記第１のグループのデータに関連するサブコードデータを含む第２のグループのデータのそれぞれに誤り訂正用の符号を付加し、それぞれが、前記磁気テープのトラック上において、両者の間が離間せずに連続するようにフォーマットするフォーマット化ステップと、
前記フォーマット化ステップの処理によりフォーマット化されたデータを、前記磁気テープに記録するために前記回転ヘッドに供給する供給ステップと
を含み、
前記フォーマット化ステップは、
１個のトラックに、１個が２４の倍数のビット数である１１１バイトの長さのシンクブロックを１３９個連続的に配置し、
１個のシンクブロックに、シンクブロック検出用の検出パターンを２バイト、シンクブロックを識別するための識別情報を３バイト、メインデータを９６バイト、および前記識別情報とメインデータの９９バイトのデータに対して計算された誤り訂正内符号を１０バイト配置し、
前記１３９個のシンクブロックのうち、１２１個のシンクブロックに前記メインデータを配置し、残りの１８個のシンクブロックに誤り訂正外符号を配置し、
前記誤り訂正外符号を、１６個のトラックに含まれる２２２４個のシンクブロックを１６面に等分割した１３９シンクブロック毎、１２個のトラックに含まれる１６６８個のシンクブロックを１２面に等分割した１３９シンクブロック毎、または８個のトラックに含まれる１１１２個のシンクブロックを８面に等分割した１３９シンクブロック毎に構成し、
前記磁気テープ上における前記シンクブロックの配置を、同一の面に属する前記シンクブロック間の距離が一定になるようにする
ことを特徴とするコンピュータが読み取り可能なプログラムが記録されている記録媒体。
【請求項５】
回転ヘッドにより磁気テープのトラックにデジタルデータを記録する磁気テープ記録装置において、
映像データ、音声データまたはサーチデータを含む第１のグループのデータと、前記第１のグループのデータに関連するサブコードデータを含む第２のグループのデータのそれぞれに誤り訂正用の符号を付加し、それぞれが、前記磁気テープのトラック上において、両者の間が離間せずに連続するようにフォーマットするフォーマット化手段と、
前記フォーマット化手段によりフォーマット化されたデータを、前記磁気テープに記録するために前記回転ヘッドに供給する供給手段と
を備え、
前記フォーマット化手段は、
１個のトラックに、１個が２４の倍数のビット数である１１１バイトの長さのシンクブロックを１４１個連続的に配置し、
１個のシンクブロックに、シンクブロック検出用の検出パターンを２バイト、シンクブロックを識別するための識別情報を３バイト、メインデータを９６バイト、および前記識別情報とメインデータの９９バイトのデータに対して計算された誤り訂正内符号を１０バイト配置し、
前記１４１個のシンクブロックのうち、１２３個のシンクブロックに前記メインデータを配置し、残りの１８個のシンクブロックに誤り訂正外符号を配置し、
前記誤り訂正外符号を、１６個のトラックに含まれる２２５６個のシンクブロックを１６面に等分割した１４１シンクブロック毎、１２個のトラックに含まれる１６９２個のシンクブロックを１２面に等分割した１４１シンクブロック毎、または８個のトラックに含まれる１１２８個のシンクブロックを８面に等分割した１４１シンクブロック毎に構成し、
前記磁気テープ上における前記シンクブロックの配置を、同一の面に属する前記シンクブロック間の距離が一定になるようにする
ことを特徴とする磁気テープ記録装置。
【請求項６】
前記映像データは、MP@HLまたはMP@H-14方式で圧縮された高品位の映像データである
ことを特徴とする請求項５に記載の磁気テープ記録装置。
【請求項７】
回転ヘッドにより磁気テープのトラックにデジタルデータを記録する磁気テープ記録装置の磁気テープ記録方法において、
映像データ、音声データまたはサーチデータを含む第１のグループのデータと、前記第１のグループのデータに関連するサブコードデータを含む第２のグループのデータのそれぞれに誤り訂正用の符号を付加し、それぞれが、前記磁気テープのトラック上において、両者の間が離間せずに連続するようにフォーマットするフォーマット化ステップと、
前記フォーマット化ステップの処理によりフォーマット化されたデータを、前記磁気テープに記録するために前記回転ヘッドに供給する供給ステップと
を含み、
前記フォーマット化ステップは、
１個のトラックに、１個が２４の倍数のビット数である１１１バイトの長さのシンクブロックを１４１個連続的に配置し、
１個のシンクブロックに、シンクブロック検出用の検出パターンを２バイト、シンクブロックを識別するための識別情報を３バイト、メインデータを９６バイト、および前記識別情報とメインデータの９９バイトのデータに対して計算された誤り訂正内符号を１０バイト配置し、
前記１４１個のシンクブロックのうち、１２３個のシンクブロックに前記メインデータを配置し、残りの１８個のシンクブロックに誤り訂正外符号を配置し、
前記誤り訂正外符号を、１６個のトラックに含まれる２２５６個のシンクブロックを１６面に等分割した１４１シンクブロック毎、１２個のトラックに含まれる１６９２個のシンクブロックを１２面に等分割した１４１シンクブロック毎、または８個のトラックに含まれる１１２８個のシンクブロックを８面に等分割した１４１シンクブロック毎に構成し、
前記磁気テープ上における前記シンクブロックの配置を、同一の面に属する前記シンクブロック間の距離が一定になるようにする
ことを特徴とする磁気テープ記録方法。
【請求項８】
回転ヘッドにより磁気テープのトラックにデジタルデータを記録する磁気テープ記録装置のプログラムにおいて、
映像データ、音声データまたはサーチデータを含む第１のグループのデータと、前記第１のグループのデータに関連するサブコードデータを含む第２のグループのデータのそれぞれに誤り訂正用の符号を付加し、それぞれが、前記磁気テープのトラック上において、両者の間が離間せずに連続するようにフォーマットするフォーマット化ステップと、
前記フォーマット化ステップの処理によりフォーマット化されたデータを、前記磁気テープに記録するために前記回転ヘッドに供給する供給ステップと
を含み、
前記フォーマット化ステップは、
１個のトラックに、１個が２４の倍数のビット数である１１１バイトの長さのシンクブロックを１４１個連続的に配置し、
１個のシンクブロックに、シンクブロック検出用の検出パターンを２バイト、シンクブロックを識別するための識別情報を３バイト、メインデータを９６バイト、および前記識別情報とメインデータの９９バイトのデータに対して計算された誤り訂正内符号を１０バイト配置し、
前記１４１個のシンクブロックのうち、１２３個のシンクブロックに前記メインデータを配置し、残りの１８個のシンクブロックに誤り訂正外符号を配置し、
前記誤り訂正外符号を、１６個のトラックに含まれる２２５６個のシンクブロックを１６面に等分割した１４１シンクブロック毎、１２個のトラックに含まれる１６９２個のシンクブロックを１２面に等分割した１４１シンクブロック毎、または８個のトラックに含まれる１１２８個のシンクブロックを８面に等分割した１４１シンクブロック毎に構成し、
前記磁気テープ上における前記シンクブロックの配置を、同一の面に属する前記シンクブロック間の距離が一定になるようにする
を含むことを特徴とするコンピュータが読み取り可能なプログラムが記録されている記録媒体。
【請求項９】
回転ヘッドにより磁気テープのトラックにデジタルデータを記録する磁気テープ記録装置において、
映像データ、音声データまたはサーチデータを含む第１のグループのデータと、前記第１のグループのデータに関連するサブコードデータを含む第２のグループのデータのそれぞれに誤り訂正用の符号を付加し、それぞれが、前記磁気テープのトラック上において、両者の間が離間せずに連続するようにフォーマットするフォーマット化手段と、
前記フォーマット化手段によりフォーマット化されたデータを、前記磁気テープに記録するために前記回転ヘッドに供給する供給手段と
を備え、
前記フォーマット化手段は、
１個のトラックに、１個が２４の倍数のビット数である１１４バイトの長さのシンクブロックを１３５個連続的に配置し、
１個のシンクブロックに、シンクブロック検出用の検出パターンを２バイト、シンクブロックを識別するための識別情報を３バイト、メインデータを９９バイト、および前記識別情報とメインデータの１０２バイトのデータに対して計算された誤り訂正内符号を１０バイト配置し、
前記１３５個のシンクブロックのうち、１１８個のシンクブロックに前記メインデータを配置し、残りの１７個のシンクブロックに誤り訂正外符号を配置し、
前記誤り訂正外符号を、１６個のトラックに含まれる２１６０個のシンクブロックを１６面に等分割した１３５シンクブロック毎、１２個のトラックに含まれる１６２０個のシンクブロックを１２面に等分割した１３５シンクブロック毎、または８個のトラックに含まれる１０８０個のシンクブロックを８面に等分割した１３５シンクブロック毎に構成し、
前記磁気テープ上における前記シンクブロックの配置を、同一の面に属する前記シンクブロック間の距離が一定になるようにする
ことを特徴とする磁気テープ記録装置。
【請求項１０】
前記映像データは、MP@HLまたはMP@H-14方式で圧縮された高品位の映像データである
ことを特徴とする請求項９に記載の磁気テープ記録装置。
【請求項１１】
回転ヘッドにより磁気テープのトラックにデジタルデータを記録する磁気テープ記録装置の磁気テープ記録方法において、
映像データ、音声データまたはサーチデータを含む第１のグループのデータと、前記第１のグループのデータに関連するサブコードデータを含む第２のグループのデータのそれぞれに誤り訂正用の符号を付加し、それぞれが、前記磁気テープのトラック上において、両者の間が離間せずに連続するようにフォーマットするフォーマット化ステップと、
前記フォーマット化ステップの処理によりフォーマット化されたデータを、前記磁気テープに記録するために前記回転ヘッドに供給する供給ステップと
を含み、
前記フォーマット化ステップは、
１個のトラックに、１個が２４の倍数のビット数である１１４バイトの長さのシンクブロックを１３５個連続的に配置し、
１個のシンクブロックに、シンクブロック検出用の検出パターンを２バイト、シンクブロックを識別するための識別情報を３バイト、メインデータを９９バイト、および前記識別情報とメインデータの１０２バイトのデータに対して計算された誤り訂正内符号を１０バイト配置し、
前記１３５個のシンクブロックのうち、１１８個のシンクブロックに前記メインデータを配置し、残りの１７個のシンクブロックに誤り訂正外符号を配置し、
前記誤り訂正外符号を、１６個のトラックに含まれる２１６０４個のシンクブロックを１６面に等分割した１３５シンクブロック毎、１２個のトラックに含まれる１６２０個のシンクブロックを１２面に等分割した１３５シンクブロック毎、または８個のトラックに含まれる１０８０個のシンクブロックを８面に等分割した１３５シンクブロック毎に構成し、
前記磁気テープ上における前記シンクブロックの配置を、同一の面に属する前記シンクブロック間の距離が一定になるようにする
ことを特徴とする磁気テープ記録方法。
【請求項１２】
回転ヘッドにより磁気テープのトラックにデジタルデータを記録する磁気テープ記録装置のプログラムにおいて、
映像データ、音声データまたはサーチデータを含む第１のグループのデータと、前記第１のグループのデータに関連するサブコードデータを含む第２のグループのデータのそれぞれに誤り訂正用の符号を付加し、それぞれが、前記磁気テープのトラック上において、両者の間が離間せずに連続するようにフォーマットするフォーマット化ステップと、
前記フォーマット化ステップの処理によりフォーマット化されたデータを、前記磁気テープに記録するために前記回転ヘッドに供給する供給ステップと
を含み、
前記フォーマット化ステップは、
１個のトラックに、１個が２４の倍数のビット数である１１４バイトの長さのシンクブロックを１３５個連続的に配置し、
１個のシンクブロックに、シンクブロック検出用の検出パターンを２バイト、シンクブロックを識別するための識別情報を３バイト、メインデータを９９バイト、および前記識別情報とメインデータの１０２バイトのデータに対して計算された誤り訂正内符号を１０バイト配置し、
前記１３５個のシンクブロックのうち、１１８個のシンクブロックに前記メインデータを配置し、残りの１７個のシンクブロックに誤り訂正外符号を配置し、
前記誤り訂正外符号を、１６個のトラックに含まれる２１６０個のシンクブロックを１６面に等分割した１３５シンクブロック毎、１２個のトラックに含まれる１６２０個のシンクブロックを１２面に等分割した１３５シンクブロック毎、または８個のトラックに含まれる１０８０個のシンクブロックを８面に等分割した１３５シンクブロック毎に構成し、
前記磁気テープ上における前記シンクブロックの配置を、同一の面に属する前記シンクブロック間の距離が一定になるようにする
ことを特徴とするコンピュータが読み取り可能なプログラムが記録されている記録媒体。
【請求項１３】
回転ヘッドにより磁気テープのトラックにデジタルデータを記録する磁気テープ記録装置において、
映像データ、音声データまたはサーチデータを含む第１のグループのデータと、前記第１のグループのデータに関連するサブコードデータを含む第２のグループのデータのそれぞれに誤り訂正用の符号を付加し、それぞれが、前記磁気テープのトラック上において、両者の間が離間せずに連続するようにフォーマットするフォーマット化手段と、
前記フォーマット化手段によりフォーマット化されたデータを、前記磁気テープに記録するために前記回転ヘッドに供給する供給手段と
を備え、
前記フォーマット化手段は、
１個のトラックに、１個が２４の倍数のビット数である１１４バイトの長さのシンクブロックを１３５個連続的に配置し、
１個のシンクブロックに、シンクブロック検出用の検出パターンを２バイト、シンクブロックを識別するための識別情報を３バイト、メインデータを９７バイト、および前記識別情報とメインデータの１００バイトのデータに対して計算された誤り訂正内符号を１２バイト配置し、
前記１３５個のシンクブロックのうち、１１８個のシンクブロックに前記メインデータを配置し、残りの１７個のシンクブロックに誤り訂正外符号を配置し、
前記誤り訂正外符号を、１６個のトラックに含まれる２１６０個のシンクブロックを１６面に等分割した１３５シンクブロック毎、１２個のトラックに含まれる１６２０個のシンクブロックを１２面に等分割した１３５シンクブロック毎、または８個のトラックに含まれる１０８０個のシンクブロックを８面に等分割した１３５シンクブロック毎に構成し、
前記磁気テープ上における前記シンクブロックの配置を、同一の面に属する前記シンクブロック間の距離が一定になるようにする
ことを特徴とする磁気テープ記録装置。
【請求項１４】
前記映像データは、MP@HLまたはMP@H-14方式で圧縮された高品位の映像データである
ことを特徴とする請求項１３に記載の磁気テープ記録装置。
【請求項１５】
回転ヘッドにより磁気テープのトラックにデジタルデータを記録する磁気テープ記録装置の磁気テープ記録方法において、
映像データ、音声データまたはサーチデータを含む第１のグループのデータと、前記第１のグループのデータに関連するサブコードデータを含む第２のグループのデータのそれぞれに誤り訂正用の符号を付加し、それぞれが、前記磁気テープのトラック上において、両者の間が離間せずに連続するようにフォーマットするフォーマット化ステップと、
前記フォーマット化ステップの処理によりフォーマット化されたデータを、前記磁気テープに記録するために前記回転ヘッドに供給する供給ステップと
を含み、
前記フォーマット化ステップは、
１個のトラックに、１個が２４の倍数のビット数である１１４バイトの長さのシンクブロックを１３５個連続的に配置し、
１個のシンクブロックに、シンクブロック検出用の検出パターンを２バイト、シンクブロックを識別するための識別情報を３バイト、メインデータを９７バイト、および前記識別情報とメインデータの１００バイトのデータに対して計算された誤り訂正内符号を１２バイト配置し、
前記１３５個のシンクブロックのうち、１１８個のシンクブロックに前記メインデータを配置し、残りの１７個のシンクブロックに誤り訂正外符号を配置し、
前記誤り訂正外符号を、１６個のトラックに含まれる２１６０４個のシンクブロックを１６面に等分割した１３５シンクブロック毎、１２個のトラックに含まれる１６２０個のシンクブロックを１２面に等分割した１３５シンクブロック毎、または８個のトラックに含まれる１０８０個のシンクブロックを８面に等分割した１３５シンクブロック毎に構成し、
前記磁気テープ上における前記シンクブロックの配置を、同一の面に属する前記シンクブロック間の距離が一定になるようにする
ことを特徴とする磁気テープ記録方法。
【請求項１６】
回転ヘッドにより磁気テープのトラックにデジタルデータを記録する磁気テープ記録装置のプログラムにおいて、
映像データ、音声データまたはサーチデータを含む第１のグループのデータと、前記第１のグループのデータに関連するサブコードデータを含む第２のグループのデータのそれぞれに誤り訂正用の符号を付加し、それぞれが、前記磁気テープのトラック上において、両者の間が離間せずに連続するようにフォーマットするフォーマット化ステップと、
前記フォーマット化ステップの処理によりフォーマット化されたデータを、前記磁気テープに記録するために前記回転ヘッドに供給する供給ステップと
を含み、
前記フォーマット化ステップは、
１個のトラックに、１個が２４の倍数のビット数である１１４バイトの長さのシンクブロックを１３５個連続的に配置し、
１個のシンクブロックに、シンクブロック検出用の検出パターンを２バイト、シンクブロックを識別するための識別情報を３バイト、メインデータを９７バイト、および前記識別情報とメインデータの１００バイトのデータに対して計算された誤り訂正内符号を１２バイト配置し、
前記１３５個のシンクブロックのうち、１１８個のシンクブロックに前記メインデータを配置し、残りの１７個のシンクブロックに誤り訂正外符号を配置し、
前記誤り訂正外符号を、１６個のトラックに含まれる２１６０個のシンクブロックを１６面に等分割した１３５シンクブロック毎、１２個のトラックに含まれる１６２０個のシンクブロックを１２面に等分割した１３５シンクブロック毎、または８個のトラックに含まれる１０８０個のシンクブロックを８面に等分割した１３５シンクブロック毎に構成し、
前記磁気テープ上における前記シンクブロックの配置を、同一の面に属する前記シンクブロック間の距離が一定になるようにする
ことを特徴とするコンピュータが読み取り可能なプログラムが記録されている記録媒体。
【発明の詳細な説明】
【０００１】
【発明の属する技術分野】
本発明は、磁気テープ記録装置および方法、並びに記録媒体に関し、特に、高品位の映像データを磁気テープに記録または再生できるようにした、磁気テープ記録装置および方法、並びに記録媒体に関する。
【０００２】
【従来の技術】
最近、圧縮技術が進み、映像データなども、例えば、DV（Digital Video）方式により圧縮され、磁気テープに記録されるようになってきた。そのためのフォーマットが、民生用デジタルビデオテープレコーダのDVフォーマットとして規定されている。
【０００３】
図１は、従来のDVフォーマットの１トラックの構成を表している。なお、DVフォーマットにおいては、映像データは、２４−２５変換されて記録されるが、図１に示す数字のビット数は、２４−２５変換された後の数値を表している。
【０００４】
磁気テープの１７４度の巻き付け角に対応する範囲が、実質的な１トラックの範囲とされる。この１トラックの範囲の外には、１２５０ビットの長さのオーバーライトマージンが形成されている。このオーバーライトマージンは、データの消し残りをなくすためのものである。
【０００５】
１トラックの範囲の長さは、６０×１０００／１００１Hzの周波数に同期して回転ヘッドが回転される場合、１３４９７５ビットとされ、６０Hzの周波数に同期して回転ヘッドが回転される場合、１３４８５０ビットとされる。
【０００６】
この１トラックには、回転ヘッドのトレース方向（図１において、左から右方向）に、ITIセクタ、オーディオセクタ、ビデオセクタ、サブコードセクタが順次配置され、ITIセクタとオーディオセクタの間にはギャップＧ１が、オーディオセクタとビデオセクタの間にはギャップＧ２が、そしてビデオセクタとサブコードセクタの間にはギャップＧ３が、それぞれ形成される。
【０００７】
ITI（Insert and Track Information)セクタは、３６００ビットの長さとれ、その先頭にはクロックを生成するための１４００ビットのプリアンブルが配置され、その次にはSSA（Start Sync Area）とTIA（Track Information Area）が１９２０ビット分の長さ設けられている。SSAには、TIAの位置を検出するために必要なビット列（シンク番号）が配置されている。TIAには民生用のDVフォーマットであることを示す情報、SPモードまたはLPモードであることを表す情報、１フレームのパイロット信号のパターンを表す情報などが記録されている。TIAの次には、２８０ビットのポストアンブルが配置されている。
【０００８】
ギャップＧ１の長さは、６２５ビット分とされている。
【０００９】
オーディオセクタは１１５５０ビットの長さとされ、その先頭の４００ビットと最後の５００ビットは、それぞれプリアンブルまたはポストアンブルとされ、その間の１０６５０ビットがデータ（オーディオデータ）とされる。
【００１０】
ギャップＧ２は、７００ビットの長さとされる。
【００１１】
ビデオセクタは１１３２２５ビットとされ、その先頭の４００ビットと最後の９２５ビットが、それぞれプリアンブルまたはポストアンブルとされ、その間の１１１９００ビットがデータ（ビデオデータ）とされる。
【００１２】
ギャップＧ３の長さは、１５５０ビットとされる。
【００１３】
サブコードセクタは、回転ヘッドが６０×１０００／１００１Hzの周波数で回転されるとき、３７２５ビットとされ、６０Hz周波数で回転されるとき、３６００ビットとされる。そのうちの先頭の１２００ビットは、プリアンブルとされ、最後の１３２５ビット（回転ヘッドが６０×１０００／１００１Hzの周波数で回転される場合）、または１２００ビット（回転ヘッドが６０Hzの周波数で回転される場合）とされ、その間の１２００ビットがデータ（サブコード）とされる。
【００１４】
図２は、図１のビデオセクタの構成を表している。同図に示すようにビデオセクタは、９０バイト長さの１４９個のシンクブロックで構成される。そのうちの１３８個のシンクブロックは、２バイトのシンク、３バイトのID、７７バイトのビデオデータ、およびパリティＣ１（誤り訂正内符号）で構成される。
【００１５】
１４９シンクブロックのうちの１１シンクブロックには、ビデオデータに替えて、７７バイトのパリティＣ２（誤り訂正外符号）が配置されている。
最近映像データは、MPEG方式によって圧縮されるのが主流になってきたが、そのトランスポートストリーム（TS）のパケットは、１８８バイトが単位とされている。このトランスポートパケットを図２に示したビデオセクタの各シンクブロックに配置しようとすると、各シンクブロックの大きさは、７７バイトであるため、１個のトランスポートパケット（１８８バイト）を配置するのに、３個のシンクブロック（２３１バイト（＝７７バイト×３シンクブロック））が必要となる。３個のシンクブロックの容量は、１個のトランスポートパケットに対して、４３バイト（＝２３１−１８８）冗長となる。すなわち、１シンクブロック当りの冗長バイト数は、約１４バイトとなる。
このように、DVフォーマットにおいては、トランスポートパケットを効率的に記録することができないことがあった。
【００１６】
【発明が解決しようとする課題】
DVフォーマットにおいては、このように、ITIセクタ、オーディオセクタ、ビデオセクタ、およびサブコードセクタの間に、ギャップＧ１乃至Ｇ３が形成されているばかりでなく、各セクタ毎にプリアンブルとポストアンブルが設けられており、いわゆるオーバーヘッドが長く、実質的なデータの記録レートを充分に得ることができない課題があった。
【００１７】
その結果、例えば、高品位の映像データ（以下、HD（High Defination）映像データと称する）を記録するには、２５Mbps程度のビットレートが必要であるが、この記録フォーマットでは、MPEG（Moving Picture Expert Group）方式のMP@HLに対するビデオレートは、サーチ画像用データを除くと、せいぜい２４Mbps程度しか確保できず、結果的に、標準の品位の映像データ（以下、SD（Standard Definition）映像データと称する）は記録できても、HD映像データをMP@HL、MP@H−１４方式などで圧縮して記録することができない課題があった。
【００２０】
本発明は、このような状況に鑑みてなされたものであり、高品位の映像データを磁気テープに記録できるようにするものである。
【００２１】
【課題を解決するための手段】
本発明の第１の磁気テープ記録装置は、回転ヘッドにより磁気テープのトラックにデジタルデータを記録する磁気テープ記録装置において、映像データ、音声データまたはサーチデータを含む第１のグループのデータと、第１のグループのデータに関連するサブコードデータを含む第２のグループのデータのそれぞれに誤り訂正用の符号を付加し、それぞれが、磁気テープのトラック上において、両者の間が離間せずに連続するようにフォーマットするフォーマット化手段と、フォーマット化手段によりフォーマット化されたデータを、磁気テープに記録するために回転ヘッドに供給する供給手段とを備え、フォーマット化手段は、１個のトラックに、１個が２４の倍数のビット数である１１１バイトの長さのシンクブロックを１３９個連続的に配置し、１個のシンクブロックに、シンクブロック検出用の検出パターンを２バイト、シンクブロックを識別するための識別情報を３バイト、メインデータを９６バイト、および識別情報とメインデータの９９バイトのデータに対して計算された誤り訂正内符号を１０バイト配置し、１３９個のシンクブロックのうち、１２１個のシンクブロックにメインデータを配置し、残りの１８個のシンクブロックに誤り訂正外符号を配置し、誤り訂正外符号を、１６個のトラックに含まれる２２２４個のシンクブロックを１６面に等分割した１３９シンクブロック毎、１２個のトラックに含まれる１６６８個のシンクブロックを１２面に等分割した１３９シンクブロック毎、または８個のトラックに含まれる１１１２個のシンクブロックを８面に等分割した１３９シンクブロック毎に構成し、磁気テープ上におけるシンクブロックの配置を、同一の面に属するシンクブロック間の距離が一定になるようにすることを特徴とする。
【００２２】
前記映像データは、MP@HLまたはMP@H-14方式で圧縮された高品位の映像データとするようにすることができる。
【００２３】
本発明の第１の磁気テープ記録方法は、回転ヘッドにより磁気テープのトラックにデジタルデータを記録する磁気テープ記録装置の磁気テープ記録方法において、映像データ、音声データまたはサーチデータを含む第１のグループのデータと、第１のグループのデータに関連するサブコードデータを含む第２のグループのデータのそれぞれに誤り訂正用の符号を付加し、それぞれが、磁気テープのトラック上において、両者の間が離間せずに連続するようにフォーマットするフォーマット化ステップと、フォーマット化ステップの処理によりフォーマット化されたデータを、磁気テープに記録するために回転ヘッドに供給する供給ステップとを含み、フォーマット化ステップは、１個のトラックに、１個が２４の倍数のビット数である１１１バイトの長さのシンクブロックを１３９個連続的に配置し、１個のシンクブロックに、シンクブロック検出用の検出パターンを２バイト、シンクブロックを識別するための識別情報を３バイト、メインデータを９６バイト、および識別情報とメインデータの９９バイトのデータに対して計算された誤り訂正内符号を１０バイト配置し、１３９個のシンクブロックのうち、１２１個のシンクブロックにメインデータを配置し、残りの１８個のシンクブロックに誤り訂正外符号を配置し、誤り訂正外符号を、１６個のトラックに含まれる２２２４個のシンクブロックを１６面に等分割した１３９シンクブロック毎、１２個のトラックに含まれる１６６８個のシンクブロックを１２面に等分割した１３９シンクブロック毎、または８個のトラックに含まれる１１１２個のシンクブロックを８面に等分割した１３９シンクブロック毎に構成し、磁気テープ上におけるシンクブロックの配置を、同一の面に属するシンクブロック間の距離が一定になるようにすることを特徴とする。
【００２４】
本発明の第１の記録媒体のプログラムは、回転ヘッドにより磁気テープのトラックにデジタルデータを記録する磁気テープ記録装置のプログラムにおいて、映像データ、音声データまたはサーチデータを含む第１のグループのデータと、第１のグループのデータに関連するサブコードデータを含む第２のグループのデータのそれぞれに誤り訂正用の符号を付加し、それぞれが、磁気テープのトラック上において、両者の間が離間せずに連続するようにフォーマットするフォーマット化ステップと、フォーマット化ステップの処理によりフォーマット化されたデータを、磁気テープに記録するために回転ヘッドに供給する供給ステップとを含み、フォーマット化ステップは、１個のトラックに、１個が２４の倍数のビット数である１１１バイトの長さのシンクブロックを１３９個連続的に配置し、１個のシンクブロックに、シンクブロック検出用の検出パターンを２バイト、シンクブロックを識別するための識別情報を３バイト、メインデータを９６バイト、および識別情報とメインデータの９９バイトのデータに対して計算された誤り訂正内符号を１０バイト配置し、１３９個のシンクブロックのうち、１２１個のシンクブロックにメインデータを配置し、残りの１８個のシンクブロックに誤り訂正外符号を配置し、誤り訂正外符号を、１６個のトラックに含まれる２２２４個のシンクブロックを１６面に等分割した１３９シンクブロック毎、１２個のトラックに含まれる１６６８個のシンクブロックを１２面に等分割した１３９シンクブロック毎、または８個のトラックに含まれる１１１２個のシンクブロックを８面に等分割した１３９シンクブロック毎に構成し、磁気テープ上におけるシンクブロックの配置を、同一の面に属するシンクブロック間の距離が一定になるようにすることを特徴とする。
【００２６】
本発明の第２の磁気テープ記録装置は、回転ヘッドにより磁気テープのトラックにデジタルデータを記録する磁気テープ記録装置において、映像データ、音声データまたはサーチデータを含む第１のグループのデータと、第１のグループのデータに関連するサブコードデータを含む第２のグループのデータのそれぞれに誤り訂正用の符号を付加し、それぞれが、磁気テープのトラック上において、両者の間が離間せずに連続するようにフォーマットするフォーマット化手段と、フォーマット化手段によりフォーマット化されたデータを、磁気テープに記録するために回転ヘッドに供給する供給手段とを備え、フォーマット化手段は、１個のトラックに、１個が２４の倍数のビット数である１１１バイトの長さのシンクブロックを１４１個連続的に配置し、１個のシンクブロックに、シンクブロック検出用の検出パターンを２バイト、シンクブロックを識別するための識別情報を３バイト、メインデータを９６バイト、および識別情報とメインデータの９９バイトのデータに対して計算された誤り訂正内符号を１０バイト配置し、１４１個のシンクブロックのうち、１２３個のシンクブロックにメインデータを配置し、残りの１８個のシンクブロックに誤り訂正外符号を配置し、誤り訂正外符号を、１６個のトラックに含まれる２２５６個のシンクブロックを１６面に等分割した１４１シンクブロック毎、１２個のトラックに含まれる１６９２個のシンクブロックを１２面に等分割した１４１シンクブロック毎、または８個のトラックに含まれる１１２８個のシンクブロックを８面に等分割した１４１シンクブロック毎に構成し、磁気テープ上におけるシンクブロックの配置を、同一の面に属するシンクブロック間の距離が一定になるようにすることを特徴とする。
【００２７】
前記映像データは、MP@HLまたはMP@H-14方式で圧縮された高品位の映像データとすることができる。
【００２８】
本発明の第２の磁気テープ記録方法は、回転ヘッドにより磁気テープのトラックにデジタルデータを記録する磁気テープ記録装置の磁気テープ記録方法において、映像データ、音声データまたはサーチデータを含む第１のグループのデータと、第１のグループのデータに関連するサブコードデータを含む第２のグループのデータのそれぞれに誤り訂正用の符号を付加し、それぞれが、磁気テープのトラック上において、両者の間が離間せずに連続するようにフォーマットするフォーマット化ステップと、フォーマット化ステップの処理によりフォーマット化されたデータを、磁気テープに記録するために回転ヘッドに供給する供給ステップとを含み、フォーマット化ステップは、１個のトラックに、１個が２４の倍数のビット数である１１１バイトの長さのシンクブロックを１４１個連続的に配置し、１個のシンクブロックに、シンクブロック検出用の検出パターンを２バイト、シンクブロックを識別するための識別情報を３バイト、メインデータを９６バイト、および識別情報とメインデータの９９バイトのデータに対して計算された誤り訂正内符号を１０バイト配置し、１４１個のシンクブロックのうち、１２３個のシンクブロックにメインデータを配置し、残りの１８個のシンクブロックに誤り訂正外符号を配置し、誤り訂正外符号を、１６個のトラックに含まれる２２５６個のシンクブロックを１６面に等分割した１４１シンクブロック毎、１２個のトラックに含まれる１６９２個のシンクブロックを１２面に等分割した１４１シンクブロック毎、または８個のトラックに含まれる１１２８個のシンクブロックを８面に等分割した１４１シンクブロック毎に構成し、磁気テープ上におけるシンクブロックの配置を、同一の面に属するシンクブロック間の距離が一定になるようにすることを特徴とする。
【００２９】
本発明の第２の記録媒体のプログラムは、回転ヘッドにより磁気テープのトラックにデジタルデータを記録する磁気テープ記録装置のプログラムにおいて、映像データ、音声データまたはサーチデータを含む第１のグループのデータと、第１のグループのデータに関連するサブコードデータを含む第２のグループのデータのそれぞれに誤り訂正用の符号を付加し、それぞれが、磁気テープのトラック上において、両者の間が離間せずに連続するようにフォーマットするフォーマット化ステップと、フォーマット化ステップの処理によりフォーマット化されたデータを、磁気テープに記録するために回転ヘッドに供給する供給ステップとを含み、フォーマット化ステップは、１個のトラックに、１個が２４の倍数のビット数である１１１バイトの長さのシンクブロックを１４１個連続的に配置し、１個のシンクブロックに、シンクブロック検出用の検出パターンを２バイト、シンクブロックを識別するための識別情報を３バイト、メインデータを９６バイト、および識別情報とメインデータの９９バイトのデータに対して計算された誤り訂正内符号を１０バイト配置し、１４１個のシンクブロックのうち、１２３個のシンクブロックにメインデータを配置し、残りの１８個のシンクブロックに誤り訂正外符号を配置し、誤り訂正外符号を、１６個のトラックに含まれる２２５６個のシンクブロックを１６面に等分割した１４１シンクブロック毎、１２個のトラックに含まれる１６９２個のシンクブロックを１２面に等分割した１４１シンクブロック毎、または８個のトラックに含まれる１１２８個のシンクブロックを８面に等分割した１４１シンクブロック毎に構成し、磁気テープ上におけるシンクブロックの配置を、同一の面に属するシンクブロック間の距離が一定になるようにすることを特徴とする。
【００３１】
本発明の第３の磁気テープ記録装置は、回転ヘッドにより磁気テープのトラックにデジタルデータを記録する磁気テープ記録装置において、映像データ、音声データまたはサーチデータを含む第１のグループのデータと、第１のグループのデータに関連するサブコードデータを含む第２のグループのデータのそれぞれに誤り訂正用の符号を付加し、それぞれが、磁気テープのトラック上において、両者の間が離間せずに連続するようにフォーマットするフォーマット化手段と、フォーマット化手段によりフォーマット化されたデータを、磁気テープに記録するために回転ヘッドに供給する供給手段とを備え、フォーマット化手段は、１個のトラックに、１個が２４の倍数のビット数である１１４バイトの長さのシンクブロックを１３５個連続的に配置し、１個のシンクブロックに、シンクブロック検出用の検出パターンを２バイト、シンクブロックを識別するための識別情報を３バイト、メインデータを９９バイト、および識別情報とメインデータの１０２バイトのデータに対して計算された誤り訂正内符号を１０バイト配置し、１３５個のシンクブロックのうち、１１８個のシンクブロックにメインデータを配置し、残りの１７個のシンクブロックに誤り訂正外符号を配置し、誤り訂正外符号を、１６個のトラックに含まれる２１６０個のシンクブロックを１６面に等分割した１３５シンクブロック毎、１２個のトラックに含まれる１６２０個のシンクブロックを１２面に等分割した１３５シンクブロック毎、または８個のトラックに含まれる１０８０個のシンクブロックを８面に等分割した１３５シンクブロック毎に構成し、磁気テープ上におけるシンクブロックの配置を、同一の面に属するシンクブロック間の距離が一定になるようにすることを特徴とする。
【００３２】
前記映像データは、MP@HLまたはMP@H-14方式で圧縮された高品位の映像データとすることができる。
【００３３】
本発明の第３の磁気テープ記録方法は、回転ヘッドにより磁気テープのトラックにデジタルデータを記録する磁気テープ記録装置の磁気テープ記録方法において、映像データ、音声データまたはサーチデータを含む第１のグループのデータと、第１のグループのデータに関連するサブコードデータを含む第２のグループのデータのそれぞれに誤り訂正用の符号を付加し、それぞれが、磁気テープのトラック上において、両者の間が離間せずに連続するようにフォーマットするフォーマット化ステップと、フォーマット化ステップの処理によりフォーマット化されたデータを、磁気テープに記録するために回転ヘッドに供給する供給ステップとを含み、フォーマット化ステップは、１個のトラックに、１個が２４の倍数のビット数である１１４バイトの長さのシンクブロックを１３５個連続的に配置し、１個のシンクブロックに、シンクブロック検出用の検出パターンを２バイト、シンクブロックを識別するための識別情報を３バイト、メインデータを９９バイト、および識別情報とメインデータの１０２バイトのデータに対して計算された誤り訂正内符号を１０バイト配置し、１３５個のシンクブロックのうち、１１８個のシンクブロックにメインデータを配置し、残りの１７個のシンクブロックに誤り訂正外符号を配置し、誤り訂正外符号を、１６個のトラックに含まれる２１６０４個のシンクブロックを１６面に等分割した１３５シンクブロック毎、１２個のトラックに含まれる１６２０個のシンクブロックを１２面に等分割した１３５シンクブロック毎、または８個のトラックに含まれる１０８０個のシンクブロックを８面に等分割した１３５シンクブロック毎に構成し、磁気テープ上におけるシンクブロックの配置を、同一の面に属するシンクブロック間の距離が一定になるようにすることを特徴とする。
【００３４】
本発明の第３の記録媒体のプログラムは、回転ヘッドにより磁気テープのトラックにデジタルデータを記録する磁気テープ記録装置のプログラムにおいて、映像データ、音声データまたはサーチデータを含む第１のグループのデータと、第１のグループのデータに関連するサブコードデータを含む第２のグループのデータのそれぞれに誤り訂正用の符号を付加し、それぞれが、磁気テープのトラック上において、両者の間が離間せずに連続するようにフォーマットするフォーマット化ステップと、フォーマット化ステップの処理によりフォーマット化されたデータを、磁気テープに記録するために回転ヘッドに供給する供給ステップとを含み、フォーマット化ステップは、１個のトラックに、１個が２４の倍数のビット数である１１４バイトの長さのシンクブロックを１３５個連続的に配置し、１個のシンクブロックに、シンクブロック検出用の検出パターンを２バイト、シンクブロックを識別するための識別情報を３バイト、メインデータを９９バイト、および識別情報とメインデータの１０２バイトのデータに対して計算された誤り訂正内符号を１０バイト配置し、１３５個のシンクブロックのうち、１１８個のシンクブロックにメインデータを配置し、残りの１７個のシンクブロックに誤り訂正外符号を配置し、誤り訂正外符号を、１６個のトラックに含まれる２１６０個のシンクブロックを１６面に等分割した１３５シンクブロック毎、１２個のトラックに含まれる１６２０個のシンクブロックを１２面に等分割した１３５シンクブロック毎、または８個のトラックに含まれる１０８０個のシンクブロックを８面に等分割した１３５シンクブロック毎に構成し、磁気テープ上におけるシンクブロックの配置を、同一の面に属するシンクブロック間の距離が一定になるようにすることを特徴とする。
【００３６】
本発明の第４の磁気テープ記録装置は、回転ヘッドにより磁気テープのトラックにデジタルデータを記録する磁気テープ記録装置において、映像データ、音声データまたはサーチデータを含む第１のグループのデータと、第１のグループのデータに関連するサブコードデータを含む第２のグループのデータのそれぞれに誤り訂正用の符号を付加し、それぞれが、磁気テープのトラック上において、両者の間が離間せずに連続するようにフォーマットするフォーマット化手段と、フォーマット化手段によりフォーマット化されたデータを、磁気テープに記録するために回転ヘッドに供給する供給手段とを備え、フォーマット化手段は、１個のトラックに、１個が２４の倍数のビット数である１１４バイトの長さのシンクブロックを１３５個連続的に配置し、１個のシンクブロックに、シンクブロック検出用の検出パターンを２バイト、シンクブロックを識別するための識別情報を３バイト、メインデータを９７バイト、および識別情報とメインデータの１００バイトのデータに対して計算された誤り訂正内符号を１２バイト配置し、１３５個のシンクブロックのうち、１１８個のシンクブロックにメインデータを配置し、残りの１７個のシンクブロックに誤り訂正外符号を配置し、誤り訂正外符号を、１６個のトラックに含まれる２１６０個のシンクブロックを１６面に等分割した１３５シンクブロック毎、１２個のトラックに含まれる１６２０個のシンクブロックを１２面に等分割した１３５シンクブロック毎、または８個のトラックに含まれる１０８０個のシンクブロックを８面に等分割した１３５シンクブロック毎に構成し、磁気テープ上におけるシンクブロックの配置を、同一の面に属するシンクブロック間の距離が一定になるようにすることを特徴とする。
【００３７】
前記映像データは、MP@HLまたはMP@H-14方式で圧縮された高品位の映像データとすることができる。
【００３８】
本発明の第４の磁気テープ記録方法は、回転ヘッドにより磁気テープのトラックにデジタルデータを記録する磁気テープ記録装置の磁気テープ記録方法において、映像データ、音声データまたはサーチデータを含む第１のグループのデータと、第１のグループのデータに関連するサブコードデータを含む第２のグループのデータのそれぞれに誤り訂正用の符号を付加し、それぞれが、磁気テープのトラック上において、両者の間が離間せずに連続するようにフォーマットするフォーマット化ステップと、フォーマット化ステップの処理によりフォーマット化されたデータを、磁気テープに記録するために回転ヘッドに供給する供給ステップとを含み、フォーマット化ステップは、１個のトラックに、１個が２４の倍数のビット数である１１４バイトの長さのシンクブロックを１３５個連続的に配置し、１個のシンクブロックに、シンクブロック検出用の検出パターンを２バイト、シンクブロックを識別するための識別情報を３バイト、メインデータを９７バイト、および識別情報とメインデータの１００バイトのデータに対して計算された誤り訂正内符号を１２バイト配置し、１３５個のシンクブロックのうち、１１８個のシンクブロックにメインデータを配置し、残りの１７個のシンクブロックに誤り訂正外符号を配置し、誤り訂正外符号を、１６個のトラックに含まれる２１６０４個のシンクブロックを１６面に等分割した１３５シンクブロック毎、１２個のトラックに含まれる１６２０個のシンクブロックを１２面に等分割した１３５シンクブロック毎、または８個のトラックに含まれる１０８０個のシンクブロックを８面に等分割した１３５シンクブロック毎に構成し、磁気テープ上におけるシンクブロックの配置を、同一の面に属するシンクブロック間の距離が一定になるようにすることを特徴とする。
【００３９】
本発明の第４の記録媒体のプログラムは、回転ヘッドにより磁気テープのトラックにデジタルデータを記録する磁気テープ記録装置のプログラムにおいて、映像データ、音声データまたはサーチデータを含む第１のグループのデータと、第１のグループのデータに関連するサブコードデータを含む第２のグループのデータのそれぞれに誤り訂正用の符号を付加し、それぞれが、磁気テープのトラック上において、両者の間が離間せずに連続するようにフォーマットするフォーマット化ステップと、フォーマット化ステップの処理によりフォーマット化されたデータを、磁気テープに記録するために回転ヘッドに供給する供給ステップとを含み、フォーマット化ステップは、１個のトラックに、１個が２４の倍数のビット数である１１４バイトの長さのシンクブロックを１３５個連続的に配置し、１個のシンクブロックに、シンクブロック検出用の検出パターンを２バイト、シンクブロックを識別するための識別情報を３バイト、メインデータを９７バイト、および識別情報とメインデータの１００バイトのデータに対して計算された誤り訂正内符号を１２バイト配置し、１３５個のシンクブロックのうち、１１８個のシンクブロックにメインデータを配置し、残りの１７個のシンクブロックに誤り訂正外符号を配置し、誤り訂正外符号を、１６個のトラックに含まれる２１６０個のシンクブロックを１６面に等分割した１３５シンクブロック毎、１２個のトラックに含まれる１６２０個のシンクブロックを１２面に等分割した１３５シンクブロック毎、または８個のトラックに含まれる１０８０個のシンクブロックを８面に等分割した１３５シンクブロック毎に構成し、磁気テープ上におけるシンクブロックの配置を、同一の面に属するシンクブロック間の距離が一定になるようにすることを特徴とする。
【００４１】
本発明の第１の磁気テープ記録装置および方法、並びに記録媒体のプログラムにおいては、１個のトラックに、１個が２４の倍数のビット数である１１１バイトの長さのシンクブロックが１３９個連続的に配置され、１個のシンクブロックに、シンクブロック検出用の検出パターンが２バイト、シンクブロックを識別するための識別情報が３バイト、メインデータが９６バイト、および識別情報とメインデータの９９バイトのデータに対して計算された誤り訂正内符号が１０バイト配置され、１３９個のシンクブロックのうち、１２１個のシンクブロックにメインデータが配置され、残りの１８個のシンクブロックに誤り訂正外符号が配置され、誤り訂正外符号が、１６個のトラックに含まれる２２２４個のシンクブロックを１６面に等分割した１３９シンクブロック毎、１２個のトラックに含まれる１６６８個のシンクブロックを１２面に等分割した１３９シンクブロック毎、または８個のトラックに含まれる１１１２個のシンクブロックを８面に等分割した１３９シンクブロック毎に構成され、磁気テープ上においてシンクブロックが、同一の面に属するシンクブロック間の距離が一定になるように配置される。
【００４２】
本発明の第２の磁気テープ記録装置および方法、並びに記録媒体のプログラムにおいては、１個のトラックに、１個が２４の倍数のビット数である１１１バイトの長さのシンクブロックが１４１個連続的に配置され、１個のシンクブロックに、シンクブロック検出用の検出パターンが２バイト、シンクブロックを識別するための識別情報が３バイト、メインデータが９６バイト、および識別情報とメインデータの９９バイトのデータに対して計算された誤り訂正内符号が１０バイト配置され、１４１個のシンクブロックのうち、１２３個のシンクブロックにメインデータが配置され、残りの１８個のシンクブロックに誤り訂正外符号が配置され、誤り訂正外符号が、１６個のトラックに含まれる２２５６個のシンクブロックを１６面に等分割した１４１シンクブロック毎、１２個のトラックに含まれる１６９２個のシンクブロックを１２面に等分割した１４１シンクブロック毎、または８個のトラックに含まれる１１２８個のシンクブロックを８面に等分割した１４１シンクブロック毎に構成され、磁気テープ上においてシンクブロックが、同一の面に属するシンクブロック間の距離が一定になるように配置される。
【００４３】
本発明の第３の磁気テープ記録装置および方法、並びに記録媒体のプログラムにおいては、１個のトラックに、１個が２４の倍数のビット数である１１４バイトの長さのシンクブロックが１３５個連続的に配置され、１個のシンクブロックに、シンクブロック検出用の検出パターンが２バイト、シンクブロックを識別するための識別情報が３バイト、メインデータが９９バイト、および識別情報とメインデータの１０２バイトのデータに対して計算された誤り訂正内符号が１０バイト配置され、１３５個のシンクブロックのうち、１１８個のシンクブロックにメインデータが配置され、残りの１７個のシンクブロックに誤り訂正外符号が配置され、誤り訂正外符号が、１６個のトラックに含まれる２１６０個のシンクブロックを１６面に等分割した１３５シンクブロック毎、１２個のトラックに含まれる１６２０個のシンクブロックを１２面に等分割した１３５シンクブロック毎、または８個のトラックに含まれる１０８０個のシンクブロックを８面に等分割した１３５シンクブロック毎に構成され、磁気テープ上においてシンクブロックが、同一の面に属するシンクブロック間の距離が一定になるように配置される。
【００４４】
本発明の第４の磁気テープ記録装置および方法、並びに記録媒体のプログラムにおいては、１個のトラックに、１個が２４の倍数のビット数である１１４バイトの長さのシンクブロックが１３５個連続的に配置され、１個のシンクブロックに、シンクブロック検出用の検出パターンが２バイト、シンクブロックを識別するための識別情報が３バイト、メインデータが９７バイト、および識別情報とメインデータの１００バイトのデータに対して計算された誤り訂正内符号が１２バイト配置され、１３５個のシンクブロックのうち、１１８個のシンクブロックにメインデータが配置され、残りの１７個のシンクブロックに誤り訂正外符号が配置され、誤り訂正外符号が、１６個のトラックに含まれる２１６０個のシンクブロックを１６面に等分割した１３５シンクブロック毎、１２個のトラックに含まれる１６２０個のシンクブロックを１２面に等分割した１３５シンクブロック毎、または８個のトラックに含まれる１０８０個のシンクブロックを８面に等分割した１３５シンクブロック毎に構成され、磁気テープ上においてシンクブロックが、同一の面に属するシンクブロック間の距離が一定になるように配置される。
【００４５】
【発明の実施の形態】
図３は、本発明を適用した磁気テープ記録再生装置の記録系の構成例を表している。映像データ圧縮部１は、入力されたHD映像信号を、MP@HLあるいはMP@H-14などのMPEG方式で圧縮する。音声データ圧縮部２は、HD映像信号に対応する音声信号を、例えば、DVフォーマットの音声圧縮方式に対応する方式で圧縮する。端子３には、AUX（補助）データや、サブコードデータなどで構成されるシステムデータが、コントローラ１３から入力される。
【００４６】
スイッチ４は、コントローラ１３により切り換えられ、映像データ圧縮部１の出力、音声データ圧縮部２の出力、または端子３から供給されるシステムデータを、所定のタイミングで適宜選択し、誤り符号ID付加部５に供給する。誤り符号ID付加部５は、入力されたデータに、誤り検出訂正符号やIDを付加したり、１６トラックの間でのインタリーブ処理を施し、２４−２５変換部６に出力する。２４−２５変換部６は、トラッキング用のパイロット信号の成分が強くでるように選ばれた冗長な１ビットを付加することで、入力された２４ビット単位のデータを、２５ビット単位のデータに変換する。
【００４７】
シンクITI発生部７は、後述するメインデータ（図２４）またはサブコード（図２５）に付加するシンクデータ、アンブルのデータ、並びにITIのデータ（図８）を発生する。
【００４８】
スイッチ８はコントローラ１３により制御され、２４−２５変換部６の出力またはシンクITI発生部７の出力の一方を選択し、変調部９に出力する。変調部９は、スイッチ８を介して入力されたデータを、１または０が連続するのを防止するためにランダマイズするとともに、磁気テープ２１に記録するのに適した方式(DVフォーマットにおける場合と同一の方式)で変調し、パラレルシリアル（P/S）変換部１０に供給する。
【００４９】
パラレルシリアル変換部１０は、入力されたデータを、パラレルデータからシリアルデータに変換する。増幅器１１は、パラレルシリアル変換部１０より入力されたデータを増幅し、回転ドラム（図示せず）に取り付けられ、回転される回転ヘッド１２に供給し、磁気テープ２１に記録させる。
【００５０】
図４は、磁気テープ２１に、回転ヘッド１２により形成されるトラックのフォーマットを表している。回転ヘッド１２は、図中右下から、左上方向に、磁気テープ２１をトレースすることで、磁気テープ２１の長手方向に対して傾斜したトラックを形成する。磁気テープ２１は、図中、右から左方向に移送される。
【００５１】
各トラックは、そこに記録されるトラッキング制御のためのパイロット信号の種類に応じて、Ｆ０，Ｆ１またはＦ２のいずれかとされる。トラックはＦ０，Ｆ１，Ｆ０，Ｆ２，Ｆ０，Ｆ１，Ｆ０，Ｆ２の順に形成される。
【００５２】
トラックＦ０には、図５に示すように、周波数ｆ１，ｆ２のパイロット信号がいずれも記録されていない。これに対してトラックＦ１には、図６に示すように、周波数ｆ１のパイロット信号が記録されており、トラックＦ２には、図７に示すように、周波数ｆ２のパイロット信号が記録されている。
【００５３】
周波数ｆ１，ｆ２は、それぞれチャネルビットの記録周波数の１／９０または１／６０の値とされている。
【００５４】
図５に示すように、トラックＦ０の周波数ｆ１，ｆ２におけるノッチ部の深さは、９dBとされている。これに対して、図６または図７に示すように、周波数ｆ１、または周波数ｆ２のパイロット信号のCNR（Carrier to Noise Ratio）は、１６dBより大きく、１９dBより小さい値とされる。そしてその周波数ｆ１，ｆ２のノッチ部の深さは、３dBより大きい値とされる。
【００５５】
この周波数特性を有するトラックパターンは、DVフォーマットと同様のトラックパターンである。従って、民生用デジタルビデオテープレコーダの磁気テープ、回転ヘッド、駆動系、復調系、制御系が、この実施の形態においても、そのまま利用することができる。
【００５６】
なお、トラックピッチ、テープスピードは、DVフォーマットにおける場合と同様とされる。
【００５７】
図８は、各トラックのセクタ配置の例を示している。なお、図８において、各部の長さのビット数は、２４−２５変換後の長さで表されている。１トラックの長さは、回転ヘッド１２が、６０×１０００／１００１Hzの周波数で回転されるとき、１３４９７５ビットとされ、６０Hzの周波数で回転されるとき、１３４８５０ビットとされる。１トラックの長さとは、磁気テープ２１の１７４度の巻き付け角に対応する長さであり、その後ろには、１２５０ビットのオーバーライトマージンが形成される。このオーバーライトマージンは、消し残りを防止するものである。
【００５８】
図８において、回転ヘッド１２は、左から右方向にトラックをトレースする。その先頭には、図１に示したDVフォーマットの、ITIセクタと同様のフォーマットの、３６００ビット長さのITIセクタが配置される。ITIセクタの先頭には、１４００ビットのITIプリアンブルが配置される。このITIプリアンブルは、トラックＦ０の場合、図９に示すようなデータとされ、トラックＦ１の場合、図１０に示すようなデータとされ、そして、トラックＦ２の場合、図１１に示すようなデータとされる。
【００５９】
これらのデータに基づいて、再生時、クロックが生成される。
【００６０】
ITIプリアンブルの次には、１８３０ビットのSSAが配置される。このSSAは、トラックＦ０の場合、図１２に示すようなデータとされ、トラックＦ１の場合、図１３に示すようなデータとされ、トラックＦ２の場合、図１４に示すようなデータとされる。
【００６１】
このSSAにより、続くTIAのスタートが検知される。
【００６２】
SSAの次には、９０ビットのTIAが配置される。このTIAは、３０個のシンクブロックで構成され、各シンクブロックは、図１５に示すように、ｂ２９乃至ｂ０の３０ビットで構成される。３つのシンクブロックのそれぞれには、同一のデータが配置される。従って、TIAには、実質的に同一のデータが３回重複して記録されていることになる。
【００６３】
各シンクブロックのビットｂ２９乃至ｂ０のうち、ビットｂ２７乃至ｂ２２、ビットｂ１７乃至ビットｂ１２には、図１６に示すようなデータが配置される。
【００６４】
すなわち、ビットｂ１２，ｂ１３には、APT２が配置され、ビットｂ１４，ｂ１５には、APT１が配置され、ビットｂ１６，ｂ１７には、APT０が配置される。
【００６５】
このAPT２，APT１，APT０により、DVフォーマットの場合、図１７に示されるように、そのトラックに記録されているデータの種類が表されるようになされている。例えば、“APT２，APT１，APT０”の値の“０００”は、トラックに民生用デジタルビデオカセットレコーダのデータが記録されていること、すなわち、DVフォーマットのデータが記録されていることを意味する。その値の“１１１”は、そのトラックにはデータが記録されていないことを意味する。従って、DVフォーマットの磁気テープ記録再生装置は、“APT２，APT１，APT０”として、“１１１”が検出された場合、実質的にその磁気テープを再生しないように動作する。
【００６６】
この実施の形態においては、図１６に示すように、“APT２，APT１，APT０”として、“１１１”が記録される。その結果、図３の磁気テープ２１をDVフォーマットの磁気テープ再生装置により再生した場合、再生が実行されないことになる。これに対して、HD映像信号のデータを記録再生する磁気テープ記録再生装置によりこの磁気テープ２１を再生した場合、“APT２，APT１，APT０”として“１１１”が検出されたとき、その磁気テープには、HD映像信号のデータが記録されているものとして再生処理が実行される。
【００６７】
図１６に示すように、ビットｂ２２，ｂ２３には、TP１が記録され、ビットｂ２４，ｂ２５には、TP０が記録される。DVフォーマットの場合、TP１,TP０の値の“１１”は、トラックピッチがSPモードのためのトラックピッチ０であるこを意味し、“１０”は、LPモードのためのトラックピッチ１であることを意味し、“０１”は、トラックピッチ２であることを意味し、そして、“０００”は、トラックピッチ３であることを意味する。本発明においては、TP１，TP０は、DVフォーマットにおける場合と同様の意味を有する。
【００６８】
図１６の例においては、“TP１，TP０”が、“１１”とされているので、SPモードが選択されていることが規定されていることになる。
【００６９】
ビットｂ２６には、PF０が、そしてビットｂ２７には、PF１が、それぞれ記録される。このPF０，PF１は、パイロットフレームを表し、その値の０は、パイロットフレーム０を表し、その値の１は、パイロットフレーム１を表す。パイロットフレーム０は、１フレームを構成する１０トラックの先頭の２トラックとして、トラックＦ０の次に、トラックＦ１が配置されていることを意味し、パイロットフレーム１は、トラックＦ０の次にトラックＦ２が配置されていることを意味する。
【００７０】
すなわち、図４を参照して説明したように、トラックは、Ｆ０，Ｆ１，Ｆ０，Ｆ２，Ｆ０，Ｆ１，Ｆ０，Ｆ２の順に、形成される。所定の１フレームの最初の２トラックを、トラックＦ０，トラックＦ１として形成すると、次のフレームの最初のトラックと次のトラックは、前のフレームのデータ量によって、トラックF０、トラックＦ１、またはトラックＦ０、トラックＦ２となる。このようなトラックパターンのいずれのパターンであるのかが、パイロットフレームにより表される。
【００７１】
TIAのシンクブロックの、上述したように、トラックの各ビットは、１または０があまり長く連続しないようにするために、ランダマイズされる。その結果、１シンクブロックが、図１５に示すビットｂ２９乃至ｂ０よりなる３シンクブロック（９０ビット）のTIAのデータは、トラックＦ０の場合、図１８に示すようになり、トラックＦ１の場合、図１９に示すようになり、トラックＦ２の場合、図２０に示すようになる。
【００７２】
TIAの次には、図８に示すように、２８０ビットのポストアンブルが配置される。このポストアンブルは、トラックＦ０の場合、図２１に示すようなデータとされ、トラックＦ１の場合、図２２に示すようなデータとされ、トラックＦ２の場合、図２３に示すようなデータとされる。
【００７３】
以上のITIセクタのデータは、シンクITI発生部７により発生される。
【００７４】
ITIセクタの２８０ビットのポストアンブルの次には、１２８５７５ビットの長さのメインセクタが配置されている。このメインセクタの構造は図２４（Ａ）に示されている。
【００７５】
同図に示すように、メインセクタは１３９個のシンクブロックで構成され、各シンクブロックの長さは、８８８ビット（１１１バイト）とされる。
【００７６】
最初の１２１個のシンクブロックは、１６ビットのシンク、２４ビットのID、８ビットのヘッダ、７６０ビットのメインデータ、並びに８０ビットのパリティＣ１で構成される。シンクは、シンクITI発生部７により発生される。IDは、誤り符号ID付加部５により付加される。ヘッダは、メインデータが、音声データ、映像データ、サーチ用の映像データ、トランスポートストリームのデータ、AUXデータなどのいずれであるのかを識別する識別情報を含んでいる。このヘッダのデータは、端子３から、コントローラ１３より、システムデータの一種として供給される。
【００７７】
メインデータは、映像データである場合、映像データ圧縮部１より供給され、音声データである場合、音声データ圧縮部２より供給され、AUXデータである場合、端子３を介してコントローラ１３から供給される。
【００７８】
パリティＣ１は、各シンクブロックごとに、ID、ヘッダ、およびメインデータから、誤り符号ID付加部５において計算され、付加される。
【００７９】
１３９個のシンクブロックのうちの最後の１８個のシンクブロックは、シンク、ID、パリティＣ２およびＣ１で構成される。パリティＣ２は、図２４（Ａ）において、ヘッダまたはメインデータを、それぞれ縦方向に計算することで求められる。この演算は、誤り符号ID付加部５において行われる。
【００８０】
メインセクタの総データ量は、８８８ビット×１３９シンクブロック＝１２３４３２ビットとなり、２４−２５変換後の総データ量は、１２８５７５ビットとなる。そのうちの実質的な最大データレートは、回転ヘッド１２の回転が６０Hzに同期している場合、７６０ビット×１２１シンクブロック×１０トラック×３０Hz＝２７．５８８Mbpsとなる。このビットレートは、MP@HLまたはMP@H-14によるHG映像データ、音声圧縮データ、AUXデータ、サーチ用の映像データを記録するのに充分なレートである。
【００８１】
メインセクタの次には、１２５０ビットのサブコードセクタが配置されている。このサブコードセクタの構成は、図２５に示されている。
【００８２】
１トラックのサブコードセクタは、１０個のサブコードシンクブロックで構成され、１サブコードシンクブロックは、シンク、ID、サブコードデータ、およびパリティにより構成される。
【００８３】
この図２５の１２５０ビットの長さ（２４−２５変換後の長さ）のサブコードセクタの各サブコードシンクブロックの先頭には、２４−２５変換される前の長さで１６ビットのシンクが配置され、その次には２４ビットのIDが配置される。シンクは、シンクITI発生部７により付加され、IDは、誤り符号ID付加部５により付加される。
【００８４】
IDコードの次には、４０ビットのサブコードデータが配置される。このサブコードデータは、端子３を介して、コントローラ１３から供給されるものであり、例えば、トラック番号、タイムコード番号などを含んでいる。サブコードデータの次には、４０ビットのパリティが付加されている。このパリティは、誤り符号ID付加部５により付加される。
【００８５】
２４−２５変換される前の１２０ビットのサブコードシンクブロックのデータは、２４−２５変換されて、１２５（＝１２０×２５／２４）ビットとなる。
【００８６】
サブコードセクタの次には、ポストアンブルが配置される。このポストアンブルにはクロックを生成するのに必要な、例えば、図２６に示すようなパターンＡとパターンＢのデータが組み合わされて記録される。パターンＡとパターンＢは、それぞれの０と１の値が逆になったパターンとされている。このパターンを適当に組み合わせることにより、図５乃至図７に示すトラックＦ０，Ｆ１，Ｆ２のトラッキングパターンを実現することができる。なお、この図９のランパターンは、図３の２４−２５変換部６により２４−２５変換された後のパターンを表している。ポストアンブルの長さは、回転ヘッド１２の回転が６０×１０００／１００１Hzに同期するとき１５５０ビットとされ、６０Hzに同期するとき１４２５ビットとされる。
【００８７】
次に、図３の装置の動作について説明する。HD映像信号は、サーチ用の映像データ（サムネイルの映像データ）とともに、映像データ圧縮部１に入力され、例えば、MP@HLまたはMP@H-14方式で圧縮される。音声信号は、音声データ圧縮部２に入力され、DVフォーマットにおける場合と同様の方式で圧縮される。端子３には、コントローラ１３から、サブコードデータ、AUXデータ、ヘッダなどのシステムデータが供給される。
【００８８】
スイッチ４は、コントローラ１３により制御され、映像データ圧縮部１より出力された映像データ（サーチ用の映像データを含む）、音声データ圧縮部２より出力された音声データ、あるいは、端子３から入力されたシステムデータを、所定のタイミングで取り込み、誤り符号ID付加部５に出力することで、これらのデータを合成する。
【００８９】
誤り符号ID付加部５は、メインセクタの図２４（Ａ）に示す各シンクブロックに、２４ビットのIDを付加する。また、図２４（Ａ）に示すパリティＣ１を、各シンクブロック毎に計算し、付加するとともに、１３９シンクブロックのうちの最後の１８シンクブロックには、ヘッダとメインデータの代わりに、パリティＣ２を付加する。
【００９０】
また、誤り符号ID付加部５は、図２５に示すように、サブコードデータの各サブコードシンクブロック毎に、２４ビットのIDを付加するとともに、４０ビットのパリティを演算し、付加する。
【００９１】
誤り符号ID付加部５は、さらに、メインセクタのデータに関しては、１６トラック分のデータを保持し、それらのデータを１６トラックの間でインタリーブする（サブコードのデータはインタリーブされない）。
【００９２】
２４−２５変換部６は、誤り符号ID付加部５より供給された２４ビット単位のデータを、２５ビット単位のデータに変換する。これにより、図５乃至図７に示した、周波数ｆ１，ｆ２のトラッキング用のパイロット信号の成分が強く出現するようになる。
【００９３】
シンクITI発生部７は、図２４（Ａ）に示すように、メインセクタの各シンクブロックに、１６ビットのシンクを付加する。また、シンクITI発生部７は、図２５に示すように、サブコードセクタの各サブコードシンクブロックに、１６ビットのシンクを付加する。さらに、シンクITI発生部７は、図２６に示すポストアンブルのランパターンを発生するとともに、図８に示すITIセクタのデータを発生する。
【００９４】
これらのデータの付加（合成）は、より具体的には、コントローラ１３が、スイッチ８を切り換え、シンクITI発生部７から出力されたデータと、２４−２５変換部６が出力したデータを、適宜選択して変調部９に供給するようにすることで行われる。
【００９５】
変調部９は、入力されたデータを、ランダマイズするとともに、DVフォーマットに対応する方式で変調し、パラレルシリアル変換部１０に出力する。パラレルシリアル変換部１０は、入力されたデータをパラレルデータからシリアルデータに変換し、増幅器１１を介して、回転ヘッド１２に供給する。回転ヘッド１２は、入力されたデータを磁気テープ２１に記録する。
【００９６】
図２７は、以上のようにして、磁気テープ２１に記録されたデータを再生する再生系の構成例を表している。
【００９７】
回転ヘッド１２は磁気テープ２１に記録されているデータを再生し、増幅器４１に出力する。増幅器４１は入力信号を増幅し、A/D変換部４２に供給する。A/D変換部４２は、入力された信号をアナログ信号からデジタル信号に変換し、復調部４３に供給する。復調部４３は、A/D変換部４２より供給されたデータを、変調部９におけるランダマイズに対応してデランダマイズするとともに、変調部９における変調方式に対応する方式で復調する。
【００９８】
シンクITI検出部４４は、復調部４３により復調されたデータから、図２４に示すメインセクタの各シンクブロック毎のシンク、図２５に示すサブコードセクタの各サブコードシンクブロックのシンク、並びに図８に示すITIセクタを検出し、誤り訂正ID検出部４６に供給する。２５−２４変換部４５は、復調部４３より供給されたデータを、２４−２５変換部６における変換に対応して、２５ビット単位から２４ビット単位のデータに変換し、誤り訂正ID検出部４６に出力する。
【００９９】
誤り訂正ID検出部４６は、シンクITI検出部４４より入力されたシンクを基に、誤り訂正処理、ID検出処理、デインタリーブ処理を実行する。スイッチ４７は、コントローラ１３により制御され、誤り訂正ID検出部４６より出力されたデータのうち、映像データ（サーチ用の映像データを含む）を映像データ伸長部４８に出力し、音声データを音声データ伸長部４９に出力し、サブコードデータ、AUXデータなどのシステムデータを、端子５０からコントローラ１３に出力する。
【０１００】
映像データ伸長部４８は、入力された映像データを伸長し、D/A変換して、アナログHD映像信号として出力する。音声データ伸長部４９は、入力された音声データを伸長し、D/A変換して、アナログ音声信号として出力する。
【０１０１】
次に、その動作について説明する。回転ヘッド１２は、磁気テープ２１に記録されているデータを再生し、増幅器４１により増幅させた後、A/D変換部４２に供給する。A/D変換部４２により、アナログ信号からデジタルデータに変換されたデータは、復調部４３に入力され、図３における変調部９におけるランダマイズと変調方式に対応する方式でデランダマイズされるとともに復調される。
【０１０２】
なお、A/D変換部４２の出力は、図示せぬサーボ回路にも供給され、そこで、ポストアンブルに記録されているパターンＡとパターンＢのデータ（図２６）が再生され、トラッキング用のパイロット信号が生成され、トラッキング制御が実行される。ただし、トラッキング用のパイロット信号は、ITIセクタから最も強く再生されるが、トラック全体から再生される。
【０１０３】
２５−２４変換部４５は、復調部４３により復調されたデータを、２５ビット単位のデータから２４ビット単位のデータに変換し、誤り訂正ID検出部４６に出力する。
【０１０４】
シンクITI検出部４４は、復調部４３より出力されたデータから、図２４（Ａ）に示すメインセクタのシンク、あるいは、図２５に示すサブコードセクタのシンクを検出し、誤り訂正ID検出部４６に供給する。誤り訂正ID検出部４６は、１６トラック分のデータを記憶し、デインタリーブ処理を行うとともに、図２４（Ａ）に示すメインセクタのパリティＣ１，Ｃ２を利用して、誤り訂正処理を行う。さらに誤り訂正ID検出部４６は、メインセクタのIDを検出し、各シンクブロックに含まれているデータが、音声データ、映像データ、AUXデータ、サーチ用の映像データなどのいずれであるのかを判定する。
【０１０５】
誤り訂正ID検出部４６はまた、図２５に示すサブコードセクタのパリティを利用して、サブコードデータの誤り訂正処理を行うとともに、IDを検出し、そのサブコードデータの種類を判定する。これにより、サブコードデータが、トラック番号を表すのか、タイムコード番号を表すのかなどが判ることになる。
【０１０６】
スイッチ４７は、誤り訂正ID検出部４６により検出されたIDに基づいて、映像データおよびサーチ用データを映像データ伸長部４８に供給する。映像データ伸長部４８は、入力されたデータを、図３の映像データ圧縮部１における圧縮方式に対応する方式で伸長し、映像信号として出力する。
【０１０７】
スイッチ４７は、音声データを音声データ伸長部４９に出力する。音声データ伸長部４９は、図３の音声データ圧縮部２における圧縮方式に対応する方式で入力された音声データを伸長し、音声信号として出力する。
【０１０８】
スイッチ４７はまた、誤り訂正ID検出部４６より出力されたAUXデータ、サブコードデータなどを端子５０からコントローラ１３に出力する。
【０１０９】
さらにメインセクタの構成について説明する。図２４（Ａ）に示したように、メインセクタのシンクブロックを２バイトのシンクパターン、３バイトのID、９６バイトのメインデータ、および１０バイトのパリティＣ１の合計１１１バイト（＝８８８ビット）で構成するようにすると、２４−２５変換した後のシンクブロックのデータ長である９２５ビット（＝１１１×８×２５／２４）だけでなく、２４−２５変換前の長さである８８８ビットも、２４の倍数となる。その結果、図２８に示すように、シンクブロックの先頭が、必ず２４−２５変換の周期の切れ目に一致する。その結果、信号処理が容易となる。
【０１１０】
また、誤り訂正内符号として、図２９に示すように、３のバイトのID、９６バイトのメインデータ、および１０バイトのパリティＣ１の１０９バイトで、ガロアフィールドGF（２8）の（１０９，９９，１１）リードソロモン符号が構成される。磁気テープ２１に記録されたビットデータ列を再生した場合のビットエラー確率をPbとした場合、ガロアフィールドGF（２8）のシンボルエラー確率ＰSは次のようになる。
【０１１１】
ＰS＝１−（１−Pb）8
リードソロモン符号の正復号されない（復号することができないか、または誤って復号される）確率Ｐは、次のように演算される。
【０１１２】
【数１】
0004328995.tif 000002
【０１１３】
図３０の曲線Ａは、このようにして求められた、正復号されない確率Ｐを表している。
【０１１４】
ここで、比較のために、DVフォーマットにおける正復号されない確率を求める。DVフォーマットにおいては、図３１に示すように、IDを含めず、７７バイトのメインデータと８バイトのパリティＣ１により、誤り訂正内符号として、ガロアフィールドGF（２8）の（８５，７７，９）リードソロモン符号が構成されている。この場合の正復号されない確率は、図３０の曲線Ｂで示されるようになる。
【０１１５】
図３０の曲線Ａと曲線Ｂを比較して明かなように、ビットエラー確率が０．０００１付近である場合における正復号されない確率は、曲線Ａで示される本願発明の場合、約１Ｅ−０９５となるのに対して、曲線Ｂで示されるDVフォーマットの場合、約１Ｅ−０８となる。すなわち、本願発明における場合の方が、１桁半ほどDVフォーマットの場合よりよい結果が得られることになる。
【０１１６】
また、誤訂正される確率Ｑは、単純にパリティビット数Ｎで決まり、次式で表される。
【０１１７】
Ｑ＝１／２N
DVフォーマットでのパリティビットは、６４ビット（＝８×８）であるため、その誤訂正される確率ＱDVは、次式で表される。
【０１１８】
ＱDV＝５．４Ｅ-20
これに対して、本願発明におけるパリティビット数は、８０ビット（＝１０×８）であるため、本願発明における誤訂正される確率ＱINは、次式で表される。
【０１１９】
ＱIN＝８．３Ｅ-25
すなわち本願発明の方が、DVフォーマットに比べて、５桁程よい結果が得られることになる。
【０１２０】
さらに、本願発明においては、図２９に示すように、IDが誤り訂正内符号に含まれることになるが、DVフォーマットの場合、図３１に示すように、IDは、誤り訂正内符号には含まれていない。
【０１２１】
DVフォーマットの場合、IDは、２面構成の（１２，８，３）BCH符号により誤り訂正処理が行われる。図３２にDVフォーマットにおけるIDのパリティが示されている。２バイトのデータＣ0乃至Ｃ15に対して、パリティＰ0乃至Ｐ7が図３２に示すように演算され、これらにより、DVフォーマットのIDが形成される。最小ハミング距離が３シンボルであるため、距離が３シンボルである誤りは、別の符号へ訂正されてしまうおそれがある。また、BCH符号は、２元符号であるため、ビット率がNG-OK-NGの順で配列されているだけで、誤訂正がなされてしまうおそれがある。
【０１２２】
これに対して、本願発明では、３バイトのIDを、メインデータと同じリードソロモン符号の中に含ませることにより、誤り訂正能力を向上させている。IDからみると、BCH符号からリードソロモン符号になることにより、DVフォーマットに比べて、エラー耐性が向上する。また、メインデータからみると、符号長が長くなり、符号化効率が向上することになる。
【０１２３】
本願発明のように、ガロアフィールドGF（２8）の（１３９，１２１，１９）リードソロモン符号を用いることで、再生時のエラーに対して、トラック方向の最大約６５０μmmに渡る長手方向の固定キズによるビット誤りが訂正可能となる。また、後述するように、誤り訂正外符号を複数トラックに渡って、磁気テープ２１上でインターリーブ配置すると、例えば、１６トラックで、インターリーブを行うと、トラック２本分に相当する連続エラーの訂正が可能となる。
【０１２４】
また、本発明においては、図２４（Ａ）に示すように、誤り訂正符号のためのシンクブロック（パリティＣ２を含むシンクブロック）が、ヘッドトレース方向（図２４（Ａ）における下から上方向）の先頭、すなわち、トラックの先頭付近に配置されている。トラックの先頭付近は、磁気テープに対する回転ヘッドの当り具合により、再生エラーが発生し易い。そのため、トラック先頭付近にエラーが集中し易いが、図２４（Ａ）に示すフォーマットにおいては、トラックの先頭付近にパリティＣ２を含むシンクブロックが配置され、メインデータを含むシンクブロックは、トラックの先頭より内側に配置されることになる。その結果、メインデータのシンクブロックが、取得できなくなる確率は、パリティＣ２を含むシンクブロックが取得できなくなる確率より低くすることができる。
【０１２５】
パリティＣ２は、例えば、図２４（Ｂ）に示すように、最も上側（トラックの終端部付近）に配置することもできる。
【０１２６】
さらに、図２４（Ｃ）に示すように、パリティＣ２は、トラックの先頭付近と終端付近に分割して配置するようにしてもよい。図２４（Ｃ）の例においては、トラックの先頭付近に９シンクブロック、終点付近に９シンクブロックの、それぞれパリティＣ２を含むシンクブロックが配置されている。もちろんこのシンクブロックの分割比は、図２４（Ｃ）に示すように、一対一である必要はない。
【０１２７】
さらに、本願発明においては、１トラック以上の連続する傷に対するエラー耐性を強化するために、誤り訂正符号語を複数トラックに渡ってシャッフルし、磁気テープ２１上に記録することを特徴としている。このため、Ｎトラック中に、Ｎ面の誤り訂正符号語の面を作り、１面の誤り訂正符号としては、ガロアフィールドGF（２8）の（１３９，１２１，１９）リードソロモン符号が用いられる。また、磁気テープ２１上では、全てのトラックにおいて、トラック方向の全ての位置での長手方向のキズに対する耐性を一定にするために、各面に属するシンクブロックは、磁気テープ２１上で、同一面に属するシンクブロック同士の距離が一定になるように配置される。
【０１２８】
図３３は、８面８トラックのインターリーブで誤り訂正符号をつけた場合の磁気テープ上での各面に属するシンクブロックの配置例を示している。この例においては、第１面乃至第８面のシンクブロックが、最も左側のトラックの上から下方向に順番に配置され、第８面に達したとき、再び第１面のシンクブロックが配置される。そして、トラックの一番下まで（図３３の例の場合、第２２番目のシンクブロックの位置まで）達したとき、次の面のシンクブロックは、１トラック右側の最も上側の位置（第１シンクブロックの位置）に配置され、以下同様に、上から下方向に順番に配置される。
【０１２９】
シンクブロック８１とシンクブロック８２は、同一の面（第２面）に属するシンクブロックであるが、それぞれの距離は８シンクブロック分となっている。これに対して、シンクブロック８３とシンクブロック８４は、それぞれ同一（第１面）のシンクブロックであるが、それぞれの距離も８シンクブロック分となっている。このように、各面同士の距離は、一定となっている。
【０１３０】
図３３において、トラックの長手方向（図中縦方向）のキズ７１，７２が形成されたとしても、そのトラック方向の長さは６シンクブロック分であるので、各トラックにおいて、第１面乃至第８面のシンクブロックが１個だけ欠落しただけとなり、訂正が可能となる。
【０１３１】
すなわち、トラック上のどの位置に長手キズが発生したとしても、その長手キズの幅（図３３における高さ）が同一であれば、同一の訂正結果を得ることができる。
【０１３２】
図３３の例は、隣のトラックとの間で、面の連続性が保たれているため、磁気テープ２１上についた異物などが原因で発生する時間的に連続するバーストエラーや、つなぎどり点での記録時の瞬時クロッグに対して、誤り訂正符号の能力を最大に発揮することができる。
【０１３３】
図３４は、８面８トラックのインターリーブで、誤り訂正符号をつけた場合の磁気テープ上での各面に属するシンクブロックの配置の他の例を示している。この例においては、隣接する２トラックにおいて、左右方向に隣接するシンクブロックの面が同一とされている。そして、２トラックの上から下方向に順番に各面のシンクブロックが配置され、一番下まで達したとき、その右側に位置する２トラックに移り、同様に上から下に順番にシンクブロックが順次配置される。
【０１３４】
この図３４の例は、図３３に示す例に較べて長手キズに対する訂正能力は、図３３における場合と同様であるが、再生時の片チャンネルのクロックに対しては、誤り訂正符号の能力を最大に発揮することができる。
【０１３５】
例えば、１６トラックに渡って、リードソロモン符号を１６面で構成し、インターリーブする場合、誤り符号ID付加部５により実行される面の構成およびパリティの付け方には２通りの方法がある。第１の方法は、図３５に示すように、インターリーブしながら面を構成し、パリティを付加した後に、磁気テープ上の配置順にシャッフルして、シンクブロックを並べる方法である。
【０１３６】
すなわち、図３５の例においては、映像データ圧縮部（MPEGエンコーダ）１の出力が、時間順に、Ｄ０，Ｄ１，Ｄ２，Ｄ３・・・である場合、面構成のためのメモリ９１において、入力されたデータは、時間順に、面９１−１乃至９１−１６に順番に振り分けられる。すなわちデータＤ０，Ｄ１，Ｄ２・・・Ｄ１５が、面９１−１乃至９１−１６に順次配置される。そして次のデータＤ１６は再び面９１−１に配置され、以下同様に各データが順番に面９１−１乃至９１−１６に順次配置される。
【０１３７】
以上のようにして、メモリ９１において、面が構成し終わった後、アウターパリティ付加器９２により、各面９１−１乃至９１−１６毎にアウターパリティ（パリティＣ２）が演算、付加される。
【０１３８】
アウターパリティ付加器９２によりアウターパリティが付加されたデータは、メモリ９３に供給され、映像データ圧縮部１の出力と同じ順番に（Ｄ０，Ｄ１，Ｄ２，・・・の順番に）並べかえられ、１３９個のデータ（１２１データ＋１８パリティ）毎に第１群のメモリ９３−１乃至第１６群のメモリ９３−１６に順次記憶される。すなわち、例えば、データＤ０，Ｄ１，Ｄ２，・・・，Ｄ１２０と、対応するパリティＰ０，Ｐ１，・・・が、第１群のメモリ９３−１に記憶され、データＤ１２１，Ｄ１２２，・・・，Ｄ２４１と、対応するパリティが第２群のメモリ９３−２に記憶される。
【０１３９】
このように１６個の群に分けられたデータ群は、上述した連続エラーに対するエラー耐性の優先をどのように決定するかにより、図３３に示す方法と図３４に示す方法のいずれかの方法に従って、メモリ９３から読み出され、インナーパリティ付加器９４に供給され、インナーパリティ（パリティＣ１）が付加される。これにより、映像データ圧縮部１より出力されたデータの順番が、磁気テープ２１上のデータの並び順となり、再生時のトラック上の連続エラーは、映像データ伸長部４８の入力の時点では、時間的に連続したデータとなる。この方法は、例えば、MPEG方式における他のピクチャから参照されることがないＢピクチャの途中にエラーが固まって存在していたとしても、ＩピクチャやＰピクチャにはエラーが伝搬しないというメリットがある。反面、この方法は、データ量が少ない情報に関しては、一気にエラーになってしまう可能性が高くなる。
【０１４０】
他の１つの方法は、図３６に示すように、パリティを付加した後に、磁気テープ２１上の配置順にシャッフルしてデータを並べていく方法である。すなわち図３６に示すように、映像データ圧縮部１より出力されたデータＤ０，Ｄ１，Ｄ２・・・が、面構成のためのメモリ９１において、時間順に、１２１個のデータ毎に、１６個の異なる面に振り分けられる。例えば、先頭のデータＤ０から１２１番目のデータＤ１２０までが第１面のメモリ９１−１に記憶され、第１２２番目のデータＤ１２１から第２４２番目のデータＤ２４１までが第２面のメモリ９１−２に記憶される。以下同様に、データがメモリ９１−３乃至９１−１６に記憶される。
【０１４１】
メモリ９１における面の構成が終了したとき、アウターパリティ付加器９２より、アウターパリティが付加される。アウターパリティ付加器９２により、面毎にアウターパリティが付加されたデータは、テープ上での並び替え用メモリ９３において、各面のデータ同士の距離が一定になるように、第１群乃至第１６群に振り分けられる。例えば、データＤ０は、メモリ９３−１に記憶され、次のデータＤ１は、第２群のメモリ９３−２に記憶され、以下同様に、データＤ１５が第１６群のメモリ９３−１６に記憶される。そして、さらに１７番目のデータＤ１６は、再び第１群のメモリ９３−１に記憶され、第１７番目のデータＤ１６は、第２群のメモリ９３−２に記憶される。以下同様である。
【０１４２】
このように、１６個の群に分けられたデータ群は、上述したように、連続エラーに対するエラー耐性の優先をどのようにするかにより、図３３または図３４に示すいずれかの方法で、群毎に読み出され、インナーパリティ付加器９４に供給され、インナーパリティが付加される。すなわち、第１群のメモリ９３−１に記憶されているデータとアウターパリティに対して、インナーパリティ付加器９４において、インナーパリティが付加され、第２群のメモリ９３−２に記憶されているデータとアウターパリティに対して、インナーパリティ付加器９４においてインナーパリティが付加される。以下同様である。
【０１４３】
以上のようにして、映像データ圧縮部１より出力されたデータの出力順が、面を構成するシンクブロックの順番となり、再生時のトラック上の連続エラーは、映像データ伸長部４８の入力の時点では、時間的にエラーが連続する確率は少ないものの、一定期間（１６面を構成している期間）に隔たり無くエラーが存在するということになる。この場合、MPEG方式においては、エラーが複数のピクチャにまたがり、ピクチャ参照により、さらにエラーが伝搬していく可能性が図３５における場合の方法より高くなる。しかしながらその反面、総データ量が少ない情報に関しては、エラーになってしまう可能性は低くなる。
【０１４４】
以上のことから、連続エラーに対する耐性や、訂正不能時のエラーによる障害の分散のさせ方から、磁気テープ２１上のシンクブロック配置は、以下の４種類に分類することができる。
【０１４５】
１．テープ上の異物による連続エラーに強く、訂正不能時のエラーは時間的に一ヶ所に集中する。
【０１４６】
２．テープ上の異物による連続エラーに強く、訂正不能時のエラーは時間的に分散される。
【０１４７】
３．片チャンネルのブロックによる連続エラーに強く、訂正不能時のエラーは、時間的に一ヶ所に集中する。
【０１４８】
４．片チャンネルのブロックによる連続エラーに強く、訂正不能時のエラーは、時間的に分散される。
【０１４９】
図３７乃至図３９は、１６面、１６トラックのインターリーブで、誤り訂正符号を、上記番号１に記載した、「テープ上の異物による連続エラーに強く、訂正不能時のエラーは時間的に一ヶ所に集中する」ようにした例を示している。
【０１５０】
これに対して、図４０乃至図４２は、上記した番号２の「テープ上の異物による連続エラーに強く、訂正不能時のエラーは時間的に分散される」ようにした例を示している。
【０１５１】
なお、これらの図において、Mi（i＝１，２，・・・，１６）は、面番号を表し、Dj（j＝１，２，・・・）は、シンクブロックのデータを表し、Pk（k＝１，２，・・・）は、パリティを表す。ｊ，ｋは、それぞれの通し番号を意味する。
【０１５２】
これらの図３７乃至図４２の例では、いずれもアウターパリティ（パリティＣ２）は、トラック上の後尾に配置されている。
【０１５３】
１６トラックに渡ってリードソロモン符号を１６面で構成し、インターリーブすると、上記１と２の条件では、図４３に示すように、２トラック＋１０シンクブロックの連続エラーを訂正することができる。また、上記した３と４の条件では、図４４に示すように、２トラック＋４シンクブロックの片チャンネルクロッグの連続エラーを訂正することができる。
【０１５４】
同一のリードソロモン符号を用い、連続エラーに対する誤り耐性を変更することも可能である。図４５と図４６は、インターリーブ単位と符号面の数を、それぞれ１２トラック、１２面とした場合の、シンクブロックの配列の例を表し、図４７と図４８は、インターリーブ単位と符号面の数を、それぞれ８トラック８面とした場合のシンクトラックの配列の例を表している。
【０１５５】
図４５と図４８に示すように、インターリーブ単位と符号面の数を、１２トラック、１２面とした場合、バーストエラーに対しては、１トラック＋７７シンクブロックの連続エラーを訂正することができ、片チャンネルクロッグに対しては、１トラック＋６３シンクブロックの連続エラーを訂正することができる。
【０１５６】
これに対して、図４７と図４６に示したように、インターリーブ単位と符号面の数を、それぞれ８トラック、８面とした場合、バーストエラーに対しては、１トラック＋５シンクブロックの５連続エラーを訂正することができ、片チャンネルのクロッグに対しては、１トラック＋２シンクトラックの連続エラーを訂正することができる。
【０１５７】
図４９は、メインセクタの他の構成例を表している。この構成例においては、シンクブロックの長さは、１１１バイトで、図２４に示した場合と同様であるが、メインセクタを構成するシンクブロックの数が１４１個とされ、図２４に示す例に比べ、メインデータのシンクブロックの数が２個だけ増加され、１２３個とされている。その他の構成は、図２４における場合と同様である。
【０１５８】
図５０は、トラックのメインセクタの構成を図４９に示すように構成する場合における本発明を適用した磁気テープ記録再生装置の記録系の構成例を表している。図３におけるシンクITI発生部がシンク発生部７Ａに変更されている。
【０１５９】
シンク発生部７Ａは、メインデータ（図４９）またはサブコード（図２５）に付加するシンクデータ、並びにアンブルのデータを発生する。その他の構成は、図３における場合と同様である。
【０１６０】
図５１は、図５０の磁気テープ２１の各トラックのセクタ配置の例を示している。なお、図５１において、各部の長さのビット数は、２４−２５変換後の長さで表されている。１トラックの長さは、回転ヘッド１２が、６０×１０００／１００１Hzの周波数で回転されるとき、１３４９７５ビットとされ、６０Hzの周波数で回転されるとき、１３４８５０ビットとされる。１トラックの長さとは、磁気テープ２１の１７４度の巻き付け角に対応する長さであり、その後ろには、１２５０ビットのオーバーライトマージンが形成される。このオーバーライトマージンは、消し残りを防止するものである。
【０１６１】
図５１において、回転ヘッド１２は、左から右方向にトラックをトレースする。その先頭には、１８００ビットのプリアンブルが配置されている。このプリアンブルには図８のサブコードセクタの次のポストアンブルと同様に、クロックを生成するのに必要な、例えば、図２６に示すようなパターンＡとパターンＢに示すデータが組み合わされて記録される。パターンＡとパターンＢは、それぞれの０と１の値が逆になったパターンとされている。このパターンを適当に組み合わせることにより、図５乃至図７に示すトラックＦ０，Ｆ１，Ｆ２のトラッキングパターンを実現することができる。なお、この図２６のランパターンは、図５０の２４−２５変換部６により２４−２５変換された後のパターンを表している。
【０１６２】
１８００ビットのプリアンブルの次には、１３４８５０ビットの長さのメインセクタが配置されている。このメインセクタの構造は図４９（Ａ）に示されている。
【０１６３】
同図に示すように、メインセクタは１４１個のシンクブロックで構成され、各シンクブロックの長さは、８８８ビット（１１１バイト）とされる。
【０１６４】
最初の１２３個のシンクブロックは、２バイト（１６ビット）のシンク、３バイト（２４ビット）のID、９６ビット（７６８ビット）のメインデータ、並びに１バイト（８０ビット）のパリティＣ１で構成される。シンクは、シンク発生部７Ａにより発生される。IDは、誤り符号ID付加部５により付加される。
【０１６５】
メインデータは、映像データである場合、映像データ圧縮部１より供給され、音声データである場合、音声データ圧縮部２より供給され、AUXデータである場合、端子３を介してコントローラ１３から供給される。
【０１６６】
パリティＣ１は、各シンクブロックごとに、ID、およびメインデータから、誤り符号ID付加部５において計算され、付加される。
【０１６７】
１４１個のシンクブロックのうちの最後の１８個のシンクブロックは、シンク、ID、パリティＣ２およびＣ１で構成される。パリティＣ２は、図４９（Ａ）において、メインデータを縦方向に計算することで求められる。この演算は、誤り符号ID付加部５において行われる。
【０１６８】
メインセクタの総データ量は、８８８ビット×１４１シンクブロック＝１２５２０８ビットとなり、２４−２５変換後の総データ量は、１３０４２５ビットとなる。そのうちの実質的な最大データレートは、回転ヘッド１２の回転が、６０Hzに同期している場合、７６８ビット×１２３シンクブロック×１０トラック×３０Hz＝２８．３３９Mbpsとなる。このビットレートは、MP@HLまたはMP@H-14によるHG映像データ、音声圧縮データ、AUXデータ、サーチ用の映像データを記録するのに充分なレートである。
【０１６９】
メインセクタの次には、１２５０ビットのサブコードセクタが配置されている。このサブコードセクタの構成は、図２５に示されている。
【０１７０】
サブコードセクタの次には、ポストアンブルが配置される。このポストアンブルも、図２６に示したパターンＡとパターンＢを組み合わせることで記録される。その長さは、６０×１０００／１００１Hzに同期するとき１５００ビットとされ、６０Hzに同期するとき１３７５ビットとされる。
【０１７１】
次に、図５０の装置の動作は、基本的に、図３に示した装置における場合と同様であるので、その説明は省略する。
【０１７２】
図５２は、図５０の磁気テープ２１に記録されたデータを再生する再生系の構成例を表している。この装置は、図２７におけるシンクITI検出部４４が、シンク検出部４４Ａに変更された点を除き、図２７における場合と同様の構成とされている。
【０１７３】
シンク検出部４４Ａは、復調部４３により復調されたデータから、図４９（Ａ）に示すメインセクタの各シンクブロック毎のシンク、および図２５に示すサブコードセクタの各サブコードシンクブロックのシンクを検出し、誤り訂正ID検出部４６に供給する。
【０１７４】
図５２の装置の動作は、基本的に、図２７に示した装置の動作と同様であるので、その説明は省略する。
【０１７５】
図４９のメインセクタの例の場合、誤り訂正外符号として、ガロアフィールドGF（２8）の（１４１，１２３，１９）リードソロモン符号が用いられる。
【０１７６】
この場合のメインデータの記録ビットレートは、７６８ビット×１２３シンクブロック×１０トラック×３０Hz＝２８．３３９Mbpsとなる。
【０１７７】
この場合にも、トラック方向の最大約６５０μmmに渡る長手方向の固定キズによるビット誤りが訂正可能となり、また、誤り訂正外符号を複数トラックに渡ってテープ上でインターリーブ配置することにより、例えば、１６トラックでインターリーブすることにより、トラック２本分に相当する連続エラーの訂正が可能となる。
【０１７８】
図５３乃至図５５は、インターリーブ単位と符号面の数を、それぞれ１６トラック、１６面とし、図３３に示した方法で処理した場合における磁気テープ２１上のシンクブロックの配列の例を表す。
【０１７９】
また、図５６乃至図５８は、インターリーブ単位と符号面の数を、それぞれ１６トラック、１６面とし、図３４に示した方法にしたがって処理した場合における磁気テープ２１上のシンクブロックの配列の例を示す。
【０１８０】
なお、図４９に示す例において、同図（Ｂ）または（Ｃ）に示すように、パリティＣ２を、トラックの後尾、または先頭と後尾に分割して配置するようにしてもよい。
【０１８１】
図５９（Ａ）は、メインセクタのさらに他の構成例を表している。この例においては、１シンクブロックの長さが１１４バイトとされ、１３５個のシンクブロックにより、メインセクタが構成されている。１３５シンクブロックのうち、１１８シンクブロックがメインデータとされ、１７シンクブロックが、パリティＣ２とされる。
【０１８２】
また、各シンクブロックにおけるシンクとIDは、それぞれ２バイトまたは３バイトとされるが、メインデータは、９９バイトとされ、パリティＣ１は、１０バイトとされる。誤り訂正外符号としては、ガロアフィールドGF（２8）の（１３５，１１８，１８）リードソロモン符号が用いられる。これにより、トラック方向の最大約６３０μmmに渡る長手方向の固定キズによるビット誤りが訂正可能となる。また、誤り訂正外符号を複数トラックに渡って磁気テープ２１上でインターリーブ配置することにより、例えば、１６トラックでインターリーブを行うことにより、トラック２本分に相当する連続エラーの訂正が可能となる。
【０１８３】
図２４に示す例に比べて、誤り訂正能力が若干低下する代わりに、メインデータの記録レートが、７９２ビット×１１８シンクブロック×１０トラック×３０Hz＝２８．０３６８Mbpsと向上させることができる。
【０１８４】
なお、この例においても、図５９（Ｂ）または図４９（Ｃ）に示すように、パリティＣ２の位置をトラックの後尾、または先頭と後尾に分割して配置することができる。
【０１８５】
また、メインセクタを図５９に示すように構成する場合、トラックのセクタの配置は、図６０に示すように構成されている。その基本的構成は、図８に示した場合と同様であり、従って、その記録再生も、図３または図２７に示す構成の装置で行われる。ただし、この例では、メインセクタの長さが１２８２５０ビット（＝１１４×８×１３５×２５／２４ビット）とされ、ポストアンブルの長さが１８７５ビットとされる。
【０１８６】
図６１は、メインセクタのさらに他の構成を表している。この構成例においては、図５９における場合と同様に、１シンクブロックの長さは１１４バイトとされ、１トラックにおけるシンクブロックの数は、メインデータが１１８シンクブロック、パリティＣ２が１７シンクブロックとされている。したがって、誤り訂正外符号としては、ガロアフィールドGF（２8）の（１３５，１１８，１８）リードソロモン符号が用いられる。
【０１８７】
但し、この例においては、１シンクブロックのメインデータの長さが９７バイトとされ、パリティＣ１の長さが１２バイトとされている。この例でも、トラック方向の最大６３０μmmに渡る長手方向の固定キズによるビット誤りが訂正可能となり、且つ誤り訂正外符号を複数トラックに渡ってテープ上でインターリーブ配置することで、例えば、１６トラックでインターリーブを行うことで、トラック２本分に相当する連続エラーの訂正が可能となる。図２４の例の場合に比べて、誤り訂正内符号の訂正能力が向上されている。このため、正復号されない確率は、図６２の曲線Ａで示すようになる。この曲線Ａは、図３０の曲線Ａと比較して明らかなように、正復号されない確率は、より低下している。
【０１８８】
また、パリティビット数も図２４の例の場合に比べて１６ビット増加しているため、誤訂正される確率ＱINは、次式で表される。
【０１８９】
ＱIN＝１．３Ｅ-29
但し、図２４に示す場合に比べて、誤り訂正能力を向上させた分、記録レートが７７６ビット×１１８シンクブロック×１０トラック×３０Hz＝２７．４７０４Mbpsとなる。
【０１９０】
以上のようにして、MPEG方式で、圧縮されたデータを記録再生する場合、DVフォーマットを利用する方式に比べ、次のような効果が得られる。
【０１９１】
１．８トラック・８面インターリーブの場合は、約１トラック、１６トラック・１６面インターリーブの場合は、約２トラック、記録時の瞬時クロッグ（記録エラー）が発生した場合でも再生時に訂正可能である。
２．つなぎ撮りの下地トラックと新しいトラックとの境目で発生する下地トラクのトラック痩せに起因する再生エラーに対してもエラー耐性が向上する。
３．長手方向のテープキズに対してもDVフォーマットの１．８倍以上のエラー耐性がある。
４．IDがメインデータと同じソロモン符号に含まれていることから、IDに含まれるシンクブロック番号やトラック番号等の連続性チェックを行う場合の信頼性が高くなる。
５．従って、再生時のデータ取得率がDVフォーマットに比べてきわめて高くなる。
６．シンクブロック長が１１１バイトもしくは１１４バイトであることから、MPEG方式のトランスポートストリームをシンクブロックに分割する際に親和性がある。
７．従って、デジタルインターフェース等で転送される標準的なフォーマットの１つであるトランスポートストリームの記録再生の実現が容易になる。
８．DVフォーマットの２４−２５変換がそのまま使えるため、DVシステムを基本としたシステム構築が容易である。
【０１９２】
以上のことにより、本発明はデジタルビデオカセットに限らず、テープメディアに対してMPEG方式等の圧縮されたデータを記録再生する場合のフォーマットの１つとして有用である。
【０１９３】
上述した一連の処理は、ハードウエアにより実行させることもできるが、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、記録媒体からインストールされる。
【０１９４】
この記録媒体は、図３、図２７，図５０および図５２に示すように、磁気テープ記録再生装置本体とは別に、ユーザにプログラムを提供するために配布される、プログラムが記録されている磁気ディスク３１（フロッピディスクを含む）、光ディスク３２（CD-ROM(Compact Disk-Read Only Memory),DVD(Digital Versatile Disk)を含む）、光磁気ディスク３３（MD（Mini-Disk）を含む）、もしくは半導体メモリ３４などよりなるパッケージメディアにより構成されるだけでなく、装置本体に予め組み込まれた状態でユーザに提供される、プログラムが記録されているROMや、ハードディスクなどで構成される。
【０１９５】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０１９６】
【発明の効果】
以上の如く本発明の第１の磁気テープ記録装置および方法、並びに記録媒体のプログラムによれば、１個のトラックに、１個が２４の倍数のビット数である１１１バイトの長さのシンクブロックが１３９個連続的に配置され、１個のシンクブロックに、シンクブロック検出用の検出パターンが２バイト、シンクブロックを識別するための識別情報が３バイト、メインデータが９６バイト、および識別情報とメインデータの９９バイトのデータに対して計算された誤り訂正内符号が１０バイト配置され、１３９個のシンクブロックのうち、１２１個のシンクブロックにメインデータが配置され、残りの１８個のシンクブロックに誤り訂正外符号が配置され、誤り訂正外符号が、１６個のトラックに含まれる２２２４個のシンクブロックを１６面に等分割した１３９シンクブロック毎、１２個のトラックに含まれる１６６８個のシンクブロックを１２面に等分割した１３９シンクブロック毎、または８個のトラックに含まれる１１１２個のシンクブロックを８面に等分割した１３９シンクブロック毎に構成され、磁気テープ上においてシンクブロックが、同一の面に属するシンクブロック間の距離が一定になるように配置される。
【０１９７】
また、本発明の第２の磁気テープ記録装置および方法、並びに記録媒体のプログラムによれば、１個のトラックに、１個が２４の倍数のビット数である１１１バイトの長さのシンクブロックが１４１個連続的に配置され、１個のシンクブロックに、シンクブロック検出用の検出パターンが２バイト、シンクブロックを識別するための識別情報が３バイト、メインデータが９６バイト、および識別情報とメインデータの９９バイトのデータに対して計算された誤り訂正内符号が１０バイト配置され、１４１個のシンクブロックのうち、１２３個のシンクブロックにメインデータが配置され、残りの１８個のシンクブロックに誤り訂正外符号が配置され、誤り訂正外符号が、１６個のトラックに含まれる２２５６個のシンクブロックを１６面に等分割した１４１シンクブロック毎、１２個のトラックに含まれる１６９２個のシンクブロックを１２面に等分割した１４１シンクブロック毎、または８個のトラックに含まれる１１２８個のシンクブロックを８面に等分割した１４１シンクブロック毎に構成され、磁気テープ上においてシンクブロックが、同一の面に属するシンクブロック間の距離が一定になるように配置される。
【０１９８】
本発明の第３の磁気テープ記録装置および方法、並びに記録媒体のプログラムによれば、１個のトラックに、１個が２４の倍数のビット数である１１４バイトの長さのシンクブロックが１３５個連続的に配置され、１個のシンクブロックに、シンクブロック検出用の検出パターンが２バイト、シンクブロックを識別するための識別情報が３バイト、メインデータが９９バイト、および識別情報とメインデータの１０２バイトのデータに対して計算された誤り訂正内符号が１０バイト配置され、１３５個のシンクブロックのうち、１１８個のシンクブロックにメインデータが配置され、残りの１７個のシンクブロックに誤り訂正外符号が配置され、誤り訂正外符号が、１６個のトラックに含まれる２１６０個のシンクブロックを１６面に等分割した１３５シンクブロック毎、１２個のトラックに含まれる１６２０個のシンクブロックを１２面に等分割した１３５シンクブロック毎、または８個のトラックに含まれる１０８０個のシンクブロックを８面に等分割した１３５シンクブロック毎に構成され、磁気テープ上においてシンクブロックが、同一の面に属するシンクブロック間の距離が一定になるように配置される。
【０１９９】
本発明の第４の磁気テープ記録装置および方法、並びに記録媒体のプログラムによれば、１個のトラックに、１個が２４の倍数のビット数である１１４バイトの長さのシンクブロックが１３５個連続的に配置され、１個のシンクブロックに、シンクブロック検出用の検出パターンが２バイト、シンクブロックを識別するための識別情報が３バイト、メインデータが９７バイト、および識別情報とメインデータの１００バイトのデータに対して計算された誤り訂正内符号が１２バイト配置され、１３５個のシンクブロックのうち、１１８個のシンクブロックにメインデータが配置され、残りの１７個のシンクブロックに誤り訂正外符号が配置され、誤り訂正外符号が、１６個のトラックに含まれる２１６０個のシンクブロックを１６面に等分割した１３５シンクブロック毎、１２個のトラックに含まれる１６２０個のシンクブロックを１２面に等分割した１３５シンクブロック毎、または８個のトラックに含まれる１０８０個のシンクブロックを８面に等分割した１３５シンクブロック毎に構成され、磁気テープ上においてシンクブロックが、同一の面に属するシンクブロック間の距離が一定になるように配置される。
【０２００】
したがって、いずれの場合においても、HD映像信号のデータに代表される容量の多いデータをデジタル的に磁気テープに記録することが可能となる。
【図面の簡単な説明】
【図１】  DVフォーマットのトラックセクタの構成を説明する図である。
【図２】図１のビデオセクタの構成を示す図である。
【図３】本発明を適用した磁気テープ記録再生装置の記録系の構成例を示すブロック図である。
【図４】図３の磁気テープのトラックフォーマットを説明する図である。
【図５】図４のトラックに記録されるトラッキング用のパイロット信号を説明する図である。
【図６】図４のトラックに記録されるトラッキング用のパイロット信号を説明する図である。
【図７】図４のトラックに記録されるトラッキング用のパイロット信号を説明する図である。
【図８】図４のトラックのセクタ配置を説明する図である。
【図９】図８のトラックＦ０のITIプリアンブルの例を示す図である。
【図１０】図８のトラックＦ１のITIプリアンブルの例を示す図である。
【図１１】図８のトラックＦ２のITIプリアンブルの例を示す図である。
【図１２】図８のトラックＦ０のSSAのデータの例を示す図である。
【図１３】図８のトラックＦ１のSSAのデータの例を示す図である。
【図１４】図８のトラックＦ２のSSAのデータの例を示す図である。
【図１５】図８のTIAのシンクブロックの構成を示す図である。
【図１６】図８のTIAのトラックの情報を説明する図である。
【図１７】図８のTIAのAPTの示す情報を説明する図である。
【図１８】図８のトラックＦ０のTIAのデータの例を示す図である。
【図１９】図８のトラックＦ１のTIAのデータの例を示す図である。
【図２０】図８のトラックＦ２のTIAのデータの例を示す図である。
【図２１】図８のトラックＦ０のITIポストアンブルのデータの例を示す図である。
【図２２】図８のトラックＦ１のITIポストアンブルのデータの例を示す図である。
【図２３】図８のトラックＦ２のITIポストアンブルのデータの例を示す図である。
【図２４】図８のメインセクタの構成を説明する図である。
【図２５】図８のサブコードセクタの構成を説明する図である。
【図２６】図８のポストアンブルのパターンを説明する図である。
【図２７】本発明を適用した磁気テープ記録再生装置の再生系の構成例を示すブロック図である。
【図２８】シンクブロックの長さと２４−２５変換周期との関係を説明する図である。
【図２９】シンクブロックの誤り訂正符号の構成を説明する図である。
【図３０】ビットエラー確率と正復号されない確率の関係を示すグラフである。
【図３１】  DVDフォーマットのシンクブロック内誤り訂正符号の構成を説明する図である。
【図３２】図３１のDVDフォーマットのIDのパリティの構成を説明する図である。
【図３３】磁気テープ上での各面に属するシンクブロックの配置の例を示す図である。
【図３４】磁気テープ上での各面に属する他のシンクブロックの配置の例を示す図である。
【図３５】映像データ圧縮部の出力の順序が磁気テープ上のシンクブロックの並び順となる場合の処理を説明する図である。
【図３６】映像データ圧縮部の出力の順番が面を構成するシンクブロックの順番となる場合の処理を説明する図である。
【図３７】１６面１６トラックインターリーブでパリティ付加後の磁気テープ上のシンクブロックの配列を示す図である。
【図３８】１６面１６トラックインターリーブでパリティ付加後の磁気テープ上のシンクブロックの配列を示す図である。
【図３９】１６面１６トラックインターリーブでパリティ付加後の磁気テープ上のシンクブロックの配列を示す図である。
【図４０】１６面１６トラックパリティ付加後インターリーブした場合の磁気テープ上のシンクブロックの配列の例を示す図である。
【図４１】１６面１６トラックパリティ付加後インターリーブした場合の磁気テープ上のシンクブロックの配列の例を示す図である。
【図４２】１６面１６トラックパリティ付加後インターリーブした場合の磁気テープ上のシンクブロックの配列の例を示す図である。
【図４３】バーストエラーによる連続トラックダメージに対するエラー耐性を説明する図である。
【図４４】バーストエラーによる片チャンネルダメージに対するエラー耐性を説明する図である。
【図４５】１２面１２トラックインターリーブでパリティ付加後の磁気テープ上のシンクブロックの配列を説明する図である。
【図４６】１２面１２トラックインターリーブでパリティ付加後の磁気テープ上のシンクブロックの配列を説明する図である。
【図４７】８面８トラックインターリーブでパリティ付加後の磁気テープ上のシンクブロックの配列を説明する図である。
【図４８】８面８トラックインターリーブでパリティ付加後の磁気テープ上のシンクブロックの配列を説明する図である。
【図４９】図８のトラックセクタの他の構成例を示す図である。
【図５０】本発明を適用した磁気テープ記録再生装置の記録系の他の構成例を示すブロック図である。
【図５１】図５０の磁気テープ２１のトラックフォーマットを説明する図である。
【図５２】本発明を適用した磁気テープ記録再生装置の再生系の他の構成例を示すブロック図である。
【図５３】１６面１６トラックインターリーブでパリティ付加後の磁気テープ上のシンクブロックの配列の例を示す図である。
【図５４】１６面１６トラックインターリーブでパリティ付加後の磁気テープ上のシンクブロックの配列の例を示す図である。
【図５５】１６面１６トラックインターリーブでパリティ付加後の磁気テープ上のシンクブロックの配列の例を示す図である。
【図５６】１６面１６トラックパリティ付加インターリーブ後の磁気テープ上のシンクブロックの配列の例を示す図である。
【図５７】１６面１６トラックパリティ付加インターリーブ後の磁気テープ上のシンクブロックの配列の例を示す図である。
【図５８】１６面１６トラックパリティ付加インターリーブ後の磁気テープ上のシンクブロックの配列の例を示す図である。
【図５９】図８のメインセクタのさらに他の構成例を示す図である。
【図６０】図５９に示すメインセクタの構成を採用する場合におけるトラックセクタ配置の例を示す図である。
【図６１】図８のメインセクタの他の構成例を示す図である。
【図６２】ビットエラー確率と正復号されない確率の関係を示すグラフである。
【符号の説明】
１  映像データ圧縮部，  ２  音声データ圧縮部，  ５  誤り符号ID付加部，６  ２４−２５変換部，  ７  シンク発生部，  ９  変調部，  ２１  磁気テープ，  ４３  復調部，  ４５  ２５−２４変換部，  ４４  シンク検出部，  ４６  誤り訂正ID検出部，  ４８  映像データ伸長部，  ４９  音声データ伸長，  ９１  メモリ，  ９２  アウターパリティ付加器，  ９３  メモリ，  ９４インナーパリティ付加器
【図１】
0004328995.tif 000003
【図２】
0004328995.tif 000004
【図３】
0004328995.tif 000005
【図４】
0004328995.tif 000006
【図５】
0004328995.tif 000007
【図６】
0004328995.tif 000008
【図７】
0004328995.tif 000009
【図８】
0004328995.tif 000010
【図９】
0004328995.tif 000011
【図１０】
0004328995.tif 000012
【図１１】
0004328995.tif 000013
【図１２】
0004328995.tif 000014
【図１３】
0004328995.tif 000015
【図１４】
0004328995.tif 000016
【図１５】
0004328995.tif 000017
【図１６】
0004328995.tif 000018
【図１７】
0004328995.tif 000019
【図１８】
0004328995.tif 000020
【図１９】
0004328995.tif 000021
【図２０】
0004328995.tif 000022
【図２１】
0004328995.tif 000023
【図２２】
0004328995.tif 000024
【図２３】
0004328995.tif 000025
【図２４】
0004328995.tif 000026
【図２５】
0004328995.tif 000027
【図２６】
0004328995.tif 000028
【図２７】
0004328995.tif 000029
【図２８】
0004328995.tif 000030
【図２９】
0004328995.tif 000031
【図３０】
0004328995.tif 000032
【図３１】
0004328995.tif 000033
【図３２】
0004328995.tif 000034
【図３３】
0004328995.tif 000035
【図３４】
0004328995.tif 000036
【図３５】
0004328995.tif 000037
【図３６】
0004328995.tif 000038
【図３７】
0004328995.tif 000039
【図３８】
0004328995.tif 000040
【図３９】
0004328995.tif 000041
【図４０】
0004328995.tif 000042
【図４１】
0004328995.tif 000043
【図４２】
0004328995.tif 000044
【図４３】
0004328995.tif 000045
【図４４】
0004328995.tif 000046
【図４５】
0004328995.tif 000047
【図４６】
0004328995.tif 000048
【図４７】
0004328995.tif 000049
【図４８】
0004328995.tif 000050
【図４９】
0004328995.tif 000051
【図５０】
0004328995.tif 000052
【図５１】
0004328995.tif 000053
【図５２】
0004328995.tif 000054
【図５３】
0004328995.tif 000055
【図５４】
0004328995.tif 000056
【図５５】
0004328995.tif 000057
【図５６】
0004328995.tif 000058
【図５７】
0004328995.tif 000059
【図５８】
0004328995.tif 000060
【図５９】
0004328995.tif 000061
【図６０】
0004328995.tif 000062
【図６１】
0004328995.tif 000063
【図６２】
0004328995.tif 000064